(57)【特許請求の範囲】
【請求項１】
メモリと、
少なくとも一部分が前記メモリに結合された処理回路に実装される論理回路と
を備える機器であって、前記論理回路が、
１つ又は複数の車両対モノ（Ｖ２Ｘ）パラメータを、その後のＶ２Ｘ通信のために決定し、
１つ又は複数のＶ２Ｘパラメータを含むメッセージを生成し、
前記その後のＶ２Ｘ通信を通信する際に使用するために、少なくとも１つの他の装置への前記メッセージの通信を発生させ、
前記Ｖ２Ｘパラメータはメッセージ周期整数値及びプロバイダサービス識別子（ＰＳＩＤ）文字列値を含む、機器。
【請求項２】
前記論理回路が、ブロードキャストチャネルを介した前記１つ又は複数のＶ２Ｘパラメータ専用のシステム情報ブロック（ＳＩＢ）を有する無線リソース制御（ＲＲＣ）メッセージを含む前記メッセージの通信を発生させる、請求項１に記載の機器。
【請求項３】
前記論理回路が、ブロードキャストチャネルを介した前記１つ又は複数のＶ２Ｘパラメータを備えた既存のシステム情報ブロック（ＳＩＢ）を有する無線リソース制御（ＲＲＣ）メッセージを含む前記メッセージの通信を発生させる、請求項１に記載の機器。
【請求項４】
前記論理回路が、メディアアクセス制御（ＭＡＣ）プロトコルデータユニット（ＰＤＵ）のＭＡＣヘッダ内に前記１つ又は複数のＶ２Ｘパラメータを備えた前記メッセージの通信を発生させる、請求項１に記載の機器。
【請求項５】
前記論理回路が、
セルラ負荷、Ｖ２Ｘサービスを利用する装置の数、及び前記その後のＶ２Ｘ通信に関するレイテンシ要件のうちの少なくとも１つを含むセルラ情報を受信し、
前記メッセージ内の通信のための前記セルラ情報に基づいて、前記１つ又は複数のＶ２Ｘパラメータを決定する、請求項１から請求項４のいずれか一項に記載の機器。
【請求項６】
前記メモリ及び論理回路が、無線アクセスネットワーク（ＲＡＮ）ノード、進化型ノードＢ（ｅＮＢ）、及びマルチメディアブロードキャストマルチキャストサービス（ＭＢＭＳ）機能エンティティシステムのうちの１つに実装される、請求項１から請求項４のいずれか一項に記載の機器。
【請求項７】
前記メモリ及び前記処理回路に結合されたアンテナと、
前記アンテナ、前記メモリ、及び前記処理回路に結合されたトランシーバであって、前記メッセージの通信を発生させるトランシーバとを備える、請求項１から請求項４のいずれか一項に記載の機器。
【請求項８】
複数の命令を含むコンピュータプログラムであって、前記命令が実行される場合に、処理回路が、
１つ又は複数の車両対モノ（Ｖ２Ｘ）パラメータを、その後のＶ２Ｘ通信のために決定し、
１つ又は複数のＶ２Ｘパラメータを含むメッセージを生成し、
前記その後のＶ２Ｘ通信を通信する際に使用するために、少なくとも１つの他の装置への前記メッセージの通信を発生させることを可能にし、
前記Ｖ２Ｘパラメータはメッセージ周期整数値及びプロバイダサービス識別子（ＰＳＩＤ）文字列値を含む、コンピュータプログラム。
【請求項９】
前記複数の命令を含み、前記命令が実行される場合に、前記処理回路が、ブロードキャストチャネルを介した前記１つ又は複数のＶ２Ｘパラメータ専用のシステム情報ブロック（ＳＩＢ）を有する無線リソース制御（ＲＲＣ）メッセージを含む前記メッセージの通信を発生させることを可能にする、請求項８に記載のコンピュータプログラム。
【請求項１０】
前記複数の命令を含み、前記命令が実行される場合に、前記処理回路が、ブロードキャストチャネルを介した前記１つ又は複数のＶ２Ｘパラメータを備えた既存のシステム情報ブロック（ＳＩＢ）を使用する無線リソース制御（ＲＲＣ）メッセージを含む前記メッセージの通信を発生させることを可能にする、請求項８に記載のコンピュータプログラム。
【請求項１１】
前記複数の命令を含み、前記命令が実行される場合に、前記処理回路が、メディアアクセス制御（ＭＡＣ）プロトコルデータユニット（ＰＤＵ）のＭＡＣヘッダ内に前記１つ又は複数のＶ２Ｘパラメータを備えた前記メッセージの通信を発生させることを可能にする、請求項８に記載のコンピュータプログラム。
【請求項１２】
前記複数の命令を含み、前記命令が実行される場合に、前記処理回路が、
セルラネットワークに関するセルラ情報であって、セルラ負荷、Ｖ２Ｘサービスを利用する装置の数、及び前記その後のＶ２Ｘ通信に関するレイテンシ要件のうちの少なくとも１つを含む前記セルラ情報を受信し、
前記メッセージ内の通信のための前記セルラ情報に基づいて、前記１つ又は複数のＶ２Ｘパラメータを決定することを可能にする、請求項８から請求項１１のいずれか一項に記載のコンピュータプログラム。
【請求項１３】
メモリと、
少なくとも一部分が前記メモリに結合された処理回路に実装される論理回路とを備える機器であって、前記論理回路が、
１つ又は複数の車両対モノ（Ｖ２Ｘ）パラメータを含むメッセージを受信し、
その後のＶ２Ｘ通信を通信する際に使用するために、前記１つ又は複数のＶ２Ｘパラメータに基づいて、少なくとも前記その後のＶ２Ｘ通信のためのメッセージ伝送レートを含むＶ２Ｘ設定値を構成し、
前記Ｖ２Ｘ設定値に基づいて前記その後のＶ２Ｘ通信を行い、
前記Ｖ２Ｘパラメータはメッセージ周期整数値及びプロバイダサービス識別子（ＰＳＩＤ）文字列値を含む、機器。
【請求項１４】
前記論理回路が、ブロードキャストチャネルを介して前記１つ又は複数のＶ２Ｘパラメータ専用のシステム情報ブロック（ＳＩＢ）を有する無線リソース制御（ＲＲＣ）メッセージを含む前記メッセージを受信する、請求項１３に記載の機器。
【請求項１５】
前記論理回路が、ブロードキャストチャネルを介して前記１つ又は複数のＶ２Ｘパラメータを備えた既存のシステム情報ブロック（ＳＩＢ）を使用する無線リソース制御（ＲＲＣ）メッセージを含む前記メッセージを受信する、請求項１３に記載の機器。
【請求項１６】
前記論理回路が、メディアアクセス制御（ＭＡＣ）プロトコルデータユニット（ＰＤＵ）のＭＡＣヘッダ内に前記１つ又は複数のＶ２Ｘパラメータを備えた前記メッセージを受信する、請求項１３に記載の機器。
【請求項１７】
前記メモリ及び論理回路が、ユーザ装置（ＵＥ）、無線アクセスネットワーク（ＲＡＮ）ノード、進化型ノードＢ（ｅＮＢ）、及び道路側ユニット（ＲＳＵ）のうちの１つに実装される、請求項１３から請求項１６のいずれか一項に記載の機器。
【請求項１８】
複数の命令を含むコンピュータプログラムであって、前記命令が実行される場合に、処理回路が、
１つ又は複数の車両対モノ（Ｖ２Ｘ）パラメータを含むメッセージを受信し、
その後のＶ２Ｘ通信を通信する際に使用するために、前記１つ又は複数のＶ２Ｘパラメータに基づいて、少なくとも前記その後のＶ２Ｘ通信のためのメッセージ伝送レートを含むＶ２Ｘ設定値を構成し、
前記Ｖ２Ｘ設定値に基づいて前記その後のＶ２Ｘ通信を行うことを可能にし、
前記Ｖ２Ｘパラメータはメッセージ周期整数値及びプロバイダサービス識別子（ＰＳＩＤ）文字列値を含む、コンピュータプログラム。
【請求項１９】
前記複数の命令を含み、前記命令が実行される場合に、前記処理回路が、ブロードキャストチャネルを介して前記１つ又は複数のＶ２Ｘパラメータ専用のシステム情報ブロック（ＳＩＢ）を有する無線リソース制御（ＲＲＣ）メッセージを含む前記メッセージを受信することを可能にする、請求項１８に記載のコンピュータプログラム。
【請求項２０】
前記複数の命令を含み、前記命令が実行される場合に、前記処理回路が、ブロードキャストチャネルを介して前記１つ又は複数のＶ２Ｘパラメータを備えた既存のシステム情報ブロック（ＳＩＢ）を有する無線リソース制御（ＲＲＣ）メッセージを含む前記メッセージを受信することを可能にする、請求項１８に記載のコンピュータプログラム。
【請求項２１】
前記複数の命令を含み、前記命令が実行される場合に、前記処理回路が、メディアアクセス制御（ＭＡＣ）プロトコルデータユニット（ＰＤＵ）のＭＡＣヘッダ内に前記１つ又は複数のＶ２Ｘパラメータを備えた前記メッセージを受信することを可能にする、請求項１８に記載のコンピュータプログラム。
【請求項２２】
請求項８から請求項１２及び請求項１８から請求項２１のいずれか一項に記載のコンピュータプログラムを記憶したコンピュータ読み取り可能な記憶媒体。
【発明の詳細な説明】
【技術分野】
【０００１】
本明細書の実施例は、一般に、広帯域無線通信ネットワークにおける装置間の通信に関する。
【０００２】
本出願は、２０１５年７月１３日に出願された米国仮特許出願番号６２／１９１，７７０号に対する優先権を主張し、上記米国出願の全体が参照により本明細書に組み込まれている。
【背景技術】
【０００３】
Vehicle-to-Anything（車両対モノ：Ｖ２Ｘ）は、車両とインフラシステム（infrastructure  system）がデータ及び情報を通信できるようにする、インテリジェントな交通システム（transport  system）のことを指す。Ｖ２Ｘシステムに渡される情報は、安全性アプリケーション、移動性アプリケーション、及び環境アプリケーションを含む多くのアプリケーションに対するホストを務める。例えば、Ｖ２Ｘ接続は、トラフィックフローの最適化、輻輳の低減、事故数の削減、排気の最小化などに関して、道路ネットワーク全体で、より正確な状況認識を提供する。
【図面の簡単な説明】
【０００４】
【図１Ａ】第１の動作環境の実施例を例示する。
【図１Ｂ】第１の装置の実施例を例示する。
【図２】第２の動作環境の実施例を例示する。
【図３】第３の動作環境の実施例を例示する。
【図４】第１の構成プロセスの実施例を例示する。
【図５】第２の構成プロセスの実施例を例示する。
【図６】第３の構成プロセスの実施例を例示する。
【図７Ａ】パラメータを通信するためのメッセージフォーマットの実施例を例示する。
【図７Ｂ】パラメータを通信するための第２のメッセージフォーマットの実施例を例示する。
【図８】記憶媒体の実施例を例示する。
【図９】第２の装置の実施例を例示する。
【図１０】第３の装置の実施例を例示する。
【図１１】無線ネットワークの実施例を例示する。
【発明を実施するための形態】
【０００５】
接続された車両により可能にされるインテリジェント交通システム（Intelligent  Transportation  Systems：ＩＴＳ）は、道路における安全性及び効率を改善することができる。ＩＴＳの安全性アプリケーション（safety  application）及び非安全性アプリケーション（non-safety  application）をサポートするために、車両環境における無線アクセス（Wireless  Access  in  Vehicular  Environments：ＷＡＶＥ）アーキテクチャと標準が開発された。ＷＡＶＥ標準は、Ｖ２Ｘ通信をサポートするために、ＩＥＥＥ８０２．１１ｐ、別名、専用狭域通信（Dedicated  Short  Range  Communication：ＤＳＲＣ）に基づいており、ＩＥＥＥ８０２．１１ｐは、車車間（Vehicle-to-Vehicle（車対車）：Ｖ２Ｖ）通信、路車間（Vehicle-to-Infrastructure（車対インフラ）：Ｖ２Ｉ）通信、人車間（Vehicle-to-Pedestrian（車対人間）：Ｖ２Ｐ）通信を含む。
【０００６】
これまでの研究では、ロングタームエボリューション（Long-Term  Evolution：ＬＴＥ）のダウンリンク容量が、１０ヘルツ（Ｈｚ）における協調認識メッセージ（Cooperative  Awareness  Messages：ＣＡＭ）など、レガシーＩＴＳシステムのための永久的なブロードキャスト（permanent  broadcasting）を処理するＬＴＥの能力を制限することが示された。例えば、５メガヘルツ（ＭＨｚ）スペクトルの場合、１００ミリ秒（ｍｓ）のレイテンシ（latency：待ち時間）で同時に送信する４０台の隣接車両により送信されたＣＡＭデータを、セル当たり１０台の車両しか受信できないことが観察された。
したがって、２Ｈｚのように伝送レートがより遅くなると、及び／又はブロードキャスト車両の数がより少なくなると、より容量に優れる。
【０００７】
エアインタフェースリソースの利用を最適化し、輻輳シナリオを回避するために、ネットワークは、Ｖ２Ｘ動作をより良く構成するために使用されることができる、追加の機能を実装することができる。例えば、混雑した交差点の道路側ユニット（road  side  units：ＲＳＵ）などの装置は、それぞれの個々の車両よりも周囲の環境をより包括的に見ることができる。ＲＳＵは、交通量、車両の平均速度、歩行者の存在、事故の存在などを検出するために、様々なセンサを使用する。したがって、ＲＳＵは、環境認識機能を使用して、車両がＶ２Ｘ通信を送信する周波数又はメッセージ伝送レートをより良く調整することができる。無線アクセスネットワーク（ＲＡＮ）ノード、ユーザ装置（ＵＥ）、コンテンツプロバイダシステムなどのような他のデバイスについても同様である。これらおよび他の詳細は、下記の説明においてより明らかになるであろう。
【０００８】
各種の実施例は、１つ又は複数の構成要素を含み得る。構成要素は、特定の動作を実行するように配置されたあらゆる構造を含み得る。各構成要素は、所定の一連の設計パラメータ又は性能の制約に対する要求どおりに、ハードウェア、ソフトウェア、又はこれらのあらゆる組み合わせとして実施され得る。実施例は、一例として、特定の接続形態（topology）における限られた数の構成要素によって説明され得るが、実施例は、所定の実装例に対する要求どおりに、代わりの接続形態において、より多い構成要素、又はより少ない構成要素を含み得る。「一実施例」又は「実施例」に対するあらゆる言及が、実施例に関連して説明された特定の特徴、構造、又は特性が少なくとも一実施例に含まれることを意味する、ということは注目すべき点である。本明細書における様々な場所における「一実施例において」、「いくつかの実施例において」、及び「各種の実施例において」という語句の状況は、必ずしも全て同じ実施例を参照しているとは限らない。
【０００９】
ここで開示された技術は、１つ又は複数の無線移動広帯域技術を使用する１つ又は複数の無線接続を介したデータの伝送に関連し得る。例えば、各種の実施例は、改訂版、後継版、及び変形版を含む、１つ又は複数の第３世代パートナシッププロジェクト（３ＧＰＰ）技術及び／若しくは標準、３ＧＰＰロングタームエボリューション（ＬＴＥ）技術及び／若しくは標準、並びに／又は、３ＧＰＰ  ＬＴＥ−Ａｄｖａｎｃｅｄ（ＬＴＥ−Ａ）技術及び／若しくは標準による１つ又は複数の無線接続を介した伝送に関連し得る。各種の実施例は、更に又は代わりに、改訂版、後継版、及び変形版を含む、１つ又は複数のグローバルシステムフォーモバイルコミュニケーションズ（Global  System  for  Mobile  Communications：ＧＳＭ（登録商標））／ＧＳＭ（登録商標）進化型高速データレート（Enhanced  Data  Rates  for  GSM（登録商標）  Evolution：ＥＤＧＥ）技術及び／若しくは標準、ユニバーサル移動体通信システム（Universal  Mobile  Telecommunications  System：ＵＭＴＳ）／高速パケットアクセス（High  Speed  Packet  Access：ＨＳＰＡ）技術及び／若しくは標準、並びに／又は、汎用パケット無線サービスを備えたＧＳＭ（登録商標）（GSM（登録商標）  with  General  Packet  Radio  Service：ＧＰＲＳ）システム（ＧＳＭ（登録商標）／ＧＰＲＳ）技術及び／若しくは標準による伝送に関連し得る。
【００１０】
無線移動広帯域技術及び／又は標準の実例は、限定はしないが、同様に、改訂版、後継版、及び変形版を含む、米国電気電子学会（Institute  of  Electrical  and  Electronics  Engineers：ＩＥＥＥ）８０２．１１ｐの技術及び／又は標準、専用狭域通信（dedicated  short  range  communications：ＤＳＲＣ）技術及び／又は標準、国際移動体通信アドバンスト（International  Mobile  Telecommunications  Advanced：ＩＭＴ−ＡＤＶ）技術及び／又は標準、ワイマックス（Worldwide  Interoperability  for  Microwave  Access：ＷｉＭＡＸ）及び／若しくはＷｉＭＡＸ  II技術及び／又は標準、符号分割多重アクセス（Code  Division  Multiple  Access：ＣＤＭＡ）２０００（例えば、ＣＤＭＡ２０００  ｌｘＲＴＴ、ＣＤＭＡ２０００  ＥＶ−ＤＯ、ＣＤＭＡ  ＥＶ−ＤＶなど）技術及び／又は標準、高性能無線メトロポリタンエリアネットワーク（High  Performance  Radio  Metropolitan  Area  Network：ＨＩＰＥＲＭＡＮ）技術及び／又は標準、ワイヤレスブロードバンド（Wireless  Broadband：ＷｉＢｒｏ）技術及び／又は標準、高速ダウンリンクパケットアクセス（High  Speed  Downlink  Packet  Access：ＨＳＤＰＡ）技術及び／又は標準、高速直交周波数分割多重（Orthogonal  Frequency-Division  Multiplexing：ＯＦＤＭ）パケットアクセス（ＨＳＯＰＡ）技術及び／又は標準、高速アップリンクパケットアクセス（High-Speed  Uplink  Packet  Access：ＨＳＵＰＡ）技術及び／又は標準のいずれかを含んでいる。
【００１１】
いくつかの実施例は、更に又は代わりに、他の無線通信技術及び／又は標準に従った無線通信に関連し得る。各種の実施例において使用され得る他の無線通信技術及び／又は標準の実例は、限定はしないが、いずれかのあらゆる改訂版、後継版、及び変形版を含む、ＩＥＥＥ  ８０２．１１、ＩＥＥＥ  ８０２．１１ａ、ＩＥＥＥ  ８０２．１１ｂ、ＩＥＥＥ  ８０２．１１ｇ、ＩＥＥＥ  ８０２．１１ｎ、ＩＥＥＥ  ８０２．１１ｕ、ＩＥＥＥ  ８０２．１１ａｃ、ＩＥＥＥ  ８０２．１１ａｄ、ＩＥＥＥ  ８０２．１１ａｆ、及び／若しくはＩＥＥＥ  ８０２．１１ａｈ、ＩＥＥＥ  ８０２．１１ｐ標準のような他のＩＥＥＥ無線通信標準、ＩＥＥＥ８０２．１１高効率ＷＬＡＮ（ＨＥＷ）研究グループにより開発された高効率Ｗｉ−Ｆｉ標準、Ｗｉ−Ｆｉ、Ｗｉ−Ｆｉダイレクト、Ｗｉ−Ｆｉダイレクトサービス、ワイヤレスギガビット（ワイギグ：ＷｉＧｉｇ）、ＷｉＧｉｇディスプレイ拡張（ＷＤＥ）、ＷｉＧｉｇバス拡張（ＷＢＥ）、ＷｉＧｉｇシリアル拡張（ＷＳＥ）標準のようなＷｉ−Ｆｉアライアンス（ＷＦＡ）無線通信標準、及び／若しくはＷＦＡ近接認識ネットワーキング（ＮＡＮ）タスクグループにより開発された標準、３ＧＰＰ技術レポート（ＴＲ）２３．８８７、３ＧＰＰ技術仕様書（ＴＳ）２２．３６８、及び／若しくは３ＧＰＰ  ＴＳ２３．６８２において具体化された標準のようなマシン型通信（ＭＴＣ）標準、並びに／又は、近距離無線通信（ＮＦＣ）フォーラムにより開発された標準のようなＮＦＣ標準を含み得る。実施例は、これらの実例に限定されない。
【００１２】
１つ又は複数の無線接続を介した伝送に加えて、ここで開示された技術は、１つ又は複数の有線通信媒体を通る１つ又は複数の有線接続を介したコンテンツの伝送に関連し得る。有線通信媒体の実例は、ワイヤ、ケーブル、金属リード線、プリント回路基板（ＰＣＢ）、バックプレーン、スイッチ構造（switch  fabric）、半導体材料、ツイストペアワイヤ、同軸ケーブル、光ファイバなどを含み得る。実施例は、この文脈に限定されない。
【００１３】
図１Ａは、様々な実施例を代表することができる動作環境１００の一例を例示する。動作環境１００は、ｎが任意の正の整数であり得る、任意の数のユーザ装置（ＵＥ）１０４−ｎ、及び道路側ユニット（road  side  unit：ＲＳＵ）１０６を含むことができる。いくつかの実施例において、ＲＳＵ１０６は、固定型ＵＥ、又は進化型ノードＢ（ｅＮＢ）であり得る。実施例は、信号機、電柱、看板、ゴミ箱などのような他の装置に実装され得る複数のＲＳＵ１０６を含むことができることに、注意が必要である。
【００１４】
動作環境１００は、同様に、無線アクセスネットワーク（ＲＡＮ）ノード１０８を含むことができ、無線アクセスネットワーク（ＲＡＮ）ノード１０８は、セル１０３をサービスすることができるｅＮＢであり得る。ＲＡＮノード１０８は、例えば、セル１０３の無線キャリアを介して、ＵＥ１０４−ｎ及びＲＳＵ１０６に、無線接続性を提供することができる。進行中の動作の間、ＲＡＮノード１０８は、ＵＥ１０４−ｎ及びＲＳＵ１０６に送信されるべきデータを、識別して調整することができる。ＲＡＮノード１０８は、一般に、ＵＥ１０４−ｎ及びＲＳＵ１０６と通信する固定局であり、基地局（ＢＳ）、アクセスポイントなどのような別の用語で呼ばれることがある。下記で更に詳細に説明されるように、ＲＡＮノード１０８は、ＵＥ１０４−ｎ及びＲＳＵ１０６に情報を通信して、装置間の車両対モノ（vehicle  to  anything：Ｖ２Ｘ）通信を調整することができる。
【００１５】
いくつかの実施例において、動作環境１００は、例えば、道路に沿って安全性及び効率を改善することができるＶ２Ｘ通信を可能にする、インテリジェントな交通システムであり得る。Ｖ２Ｘ通信は、ＵＥ１０４−ｎを有する車両が、お互いに通信するとともに、ＲＳＵ１０６と通信することを、可能にすることができる。Ｖ２Ｘ通信は、車両情報、交通量情報、位置情報、道路状況情報、道路障害情報、緊急車両情報、交差点情報などを含むことができる。
【００１６】
いくつかの実施例において、ＵＥ１０４−ｎ及びＲＳＵ１０６は、１つ又は複数の通信リンク１０２−ｍを介してＶ２Ｘ通信を通信することができ、ここで、ｍは任意の正の整数であり得る。Ｖ２Ｘ通信は、Ｖ２ＶアプリケーションによるＶ２Ｖ通信、Ｖ２ＰアプリケーションによるＶ２Ｐ通信、Ｖ２ＩアプリケーションによるＶ２Ｉ通信を含み得る。１つの例示的な実施例において、Ｖ２Ｖ及びＶ２Ｐ通信はＵＥ１０４−ｎ間で通信され得るとともに、Ｖ２Ｉ通信はＵＥ１０４とＲＳＵ１０６との間で通信され得る。実施例は、このように限定されない。
【００１７】
車両通信を通信する従来のシステムアーキテクチャは、一般に、例えば、公共の安全、例えば第１の応答者間の音声通信、及び民生アプリケーション、例えば広告、位置情報、ソーシャルネットワークなどのような、異なる要件を考慮して開発された。これらのレガシーシステムは、通常、１０ヘルツ（Ｈｚ）のような特定の伝送レートでメッセージを通信する。したがって、レガシーシステムは、レイテンシ（latency：待ち時間）及びサポートされる車両の数に関して、Ｖ２Ｘ通信の要件を効率的に満たすために十分にスケーラブルではない。
【００１８】
いくつかのレガシーシステムは、ステーション（station：局）又はＵＥにおける分散型輻輳制御手順による通信の繰り返しレートの調整を可能にする。この手順は、潜在的な輻輳を最小限に抑えるために使用されるとともに、各ステーションが他の装置又はネットワークからの入力なしにそれ自身の決定を行うので分散化される。しかしながら、これらの分散化システムでは、送信キュー内の古い情報は、輻輳が激しいときに破棄される可能性がある。したがって、実施例は、伝送レートを適応させ、例えばＲＡＮノード１０８を介して、より集中的なやり方で輻輳制御を可能にすることを目的とする。
【００１９】
例えば、エアインタフェースリソースの利用を最適化し、輻輳シナリオを回避するために、ＲＡＮノード１０８、ＵＥ１０４−ｎ、及びＲＳＵ１０６などのネットワーク又は装置は、Ｖ２Ｘ動作及びＶ２Ｘ通信をよりよく構成するために使用できる追加機能を実装することができる。例えば、１つ又は複数の装置は、周囲環境の包括的な概観を形成するための１つ又は複数のセンサを含むことができる。様々なセンサを使用する装置は、セルにおけるトラフィック（車両と通信）の量、セルにおける車両の平均速度、セルにおける歩行者の存在、セルにおける事故の存在などのような環境情報を収集することができる。したがって、装置は、広範な環境認識能力を有するとともに、Ｖ２Ｘ通信及びデータを通信するためにＵＥ１０４及びＲＳＵ１０６により使用されるメッセージ伝送レートをより良く調整するために使用されるように、環境情報を、ＲＡＮノード１０８などの別の装置に通信することができる。いくつかの例では、環境情報は、複数の装置により収集され、ＲＡＮノード１０８に通信するための、周囲環境のより包括的な概観を提供することができることに注意が必要である。実施例は、このように限定されない。
【００２０】
例えば、ＲＡＮノード１０８は、１つ又は複数の他の装置から環境情報を受信し、環境情報を使用してＶ２Ｘパラメータを決定することができる。例えば、ＲＡＮノード１０８は、これらの環境特性に基づいて、その後のＶ２Ｘ通信のためのメッセージ伝送レートを決定することができる。メッセージ伝送レートは、例えば、動作環境１００内のＵＥ１０４及びＲＳＵ１０６によりＶ２Ｘ通信が通信される周波数とすることができる。
【００２１】
いくつかの実施例において、ＲＡＮノード１０８は、Ｖ２Ｘ通信に関するレイテンシ要件を含むセルラ情報のような他の情報に基づいて、Ｖ２Ｘパラメータを決定することができる。例えば、レイテンシ要件は、例えば１０００ミリ秒（ｍｓ）、１００ｍｓ、１０ｍｓなど、Ｖ２Ｘ通信の伝送間の指定された最大時間量であってもよい。いくつかの実施例において、レイテンシ要件は、Ｖ２Ｘ通信が通信される周波数又はメッセージ伝送レートに直接対応することができる。したがって、ＲＡＮノード１０８は、このレイテンシ要件情報を使用して、Ｖ２Ｘ通信のためのメッセージ伝送レート、及びＶ２Ｘパラメータを決定することができる。
【００２２】
他のセルラ情報は、セルに関するセル負荷、及びＶ２Ｘサービスを使用するセル内のＵＥ１０４及びＲＳＵ１０６の数を含むことができるとともに、Ｖ２Ｘパラメータを決定するために同様に使用されることができる。実施例は、このように限定されない。一例において、メッセージ伝送レートは、高い車両交通量の領域ではより低い周波数に、低い車両交通量の領域ではより高い周波数に設定されることができる。同様に、メッセージ伝送レートは、高い通信トラフィックの領域ではより低い周波数に、低い通信トラフィックの領域ではより高い周波数に設定されることができ、それは、車両交通量及び／又は歩行者数に基づいていてもよい。別の例において、事故が検出されなかった場合と比較して、１つ又は複数の事故の存在が検出された場合には、メッセージ伝送レートは、より高い周波数に設定されることができる。
【００２３】
いくつかの実施例において、ＲＡＮノード１０８は、Ｖ２Ｘパラメータを、メッセージで１つ又は複数の装置、例えばＵＥ１０４及びＲＳＵ１０６に通信することができる。例えば、ＲＡＮノード１０８は、Ｖ２Ｘパラメータを含む無線リソース制御（ＲＲＣ）メッセージを、ＲＲＣシグナリングを使用して、１つ又は複数の他の装置に送信することができる。この例では、Ｖ２Ｘパラメータは、ブロードキャストチャネル上のシステム情報ブロック（ＳＩＢ）で通信されてもよい。別の例では、ＲＡＮノード１０８は、マルチキャスト又はユニキャストを使用して１つ又は複数の他の装置に直接送信されるメッセージにＶ２Ｘパラメータを含めることができる。いくつかの実施例において、ＲＡＮノード１０８は、ブロードキャスト又はマルチキャストを介してＶ２Ｘパラメータを通信するために、マルチメディアブロードキャストマルチキャストサービス（ＭＢＭＳ）のようなサービスを利用することができる。第３の例では、ＲＡＮノード１０８は、メディアアクセス制御（ＭＡＣ）シグナリングを使用して、ＭＡＣプロトコルデータユニット（ＰＤＵ）のＭＡＣヘッダで、１つ又は複数の他の装置にＶ２Ｘパラメータを通信することができる。実施例は、このように限定されない。
【００２４】
Ｖ２Ｘパラメータは、その後のＶ２Ｘ通信を通信するためのＶ２Ｘ設定値を構成するために、受信装置により使用されることができる。Ｖ２Ｘパラメータは、３ＧＰＰ技術及び非３ＧＰＰ技術のためのメッセージ周期（message-periodicity）、ＰＳＩＤ、及び他のＶ２Ｘパラメータを含むことができる。指定される他のＶ２Ｘパラメータは、下記には限定されないが、トランスポートプロトコルのタイプ（ＩＰ対非ＩＰ）、リソース割り当て方法のタイプ、キャリア情報、伝送技術のタイプ（ＤＳＲＣ対３ＧＰＰ）などを含み得る。実施例は、この文脈に限定されない。
【００２５】
図１Ｂは、Ｖ２Ｘ通信を通信するためのＵＥ１０４の一例を例示する。いくつかの構成要素及び回路を含むＵＥ１０４は、情報及びデータを記憶し、処理し、通信することができる。ＵＥ１０４は、メモリ１２０と、論理１２４を含む回路１２２と、トランシーバ１２６とを含む。
【００２６】
実施例において、メモリ１２０は、情報及びデータを記憶することができる任意のタイプのメモリであり得る。例えば、メモリ１２０は、回路１２２により処理され得る論理１２４などの一時変数及び命令を記憶し得る。メモリ１２０は、ランダムアクセスメモリ（ＲＡＭ）、読み出し専用メモリ（ＲＯＭ）、電気的に消去可能なプログラム可能読み出し専用メモリ（ＥＥＰＲＯＭ）、フラッシュメモリなどのうちの１つ又は複数であり得る。メモリ１２０は、これらのメモリ部品に限定されない。例えば、メモリ１２０は、非一時的なコンピュータ読み取り可能な記憶媒体を含むことができる。いくつかの実施例において、メモリ１２０は、揮発性メモリ又は不揮発性メモリであってもよい。
【００２７】
いくつかの実施例において、メモリ１２０は、Ｖ２Ｘ通信を通信するために使用され得るＶ２Ｘ設定値２１５などのデータを記憶することができる。Ｖ２Ｘ設定値２１５は、１つ又は複数の通信リンクを介した１つ又は複数のＶ２Ｘ通信のための設定値を含むことができるとともに、Ｖ２Ｘパラメータに基づくことができる。Ｖ２Ｘ設定値２１５は、前述したように、ＵＥ１０４と１つ又は複数の他の装置との間で確立された各Ｖ２Ｘ通信に関するメッセージ伝送レート、ＰＳＩＤ、及びその他の設定値を含むことができる。各Ｖ２Ｘ通信は、Ｖ２Ｘ通信の要件、利用可能なリソース、環境要因、セルラ情報などに基づいて、異なるＶ２Ｘ設定値２１５を有することができることに注意が必要である。
【００２８】
ＵＥ１０４は、同様に、論理１２４、例えば１つ又は複数の命令を実施して処理し得る回路１２２を含むことができる。回路１２２は、プロセッサ、処理コンポーネント、コンピュータ処理ユニットなどの一部分であってもよい。回路１２２は、論理１２４として実装された情報及び命令など、ＵＥ１０４のための情報及び命令を処理することができる。回路１２２は、コンピュータプログラムの命令を、命令によって指定された基本的な算術演算、論理演算、制御動作、及び入力／出力（Ｉ／Ｏ）動作を実行することにより遂行する回路であってもよい。例えば、回路１２２は、算術演算及び論理演算を実行する算術論理ユニット（ＡＬＵ）を含むことができる。回路１２２は、同様に、メモリ１２０などのメモリから命令をフェッチし、ＡＬＵ、レジスタ、及び他の構成要素の協調動作を指示することによって命令を“実行”する制御ユニットを含むことができる。実施例は、このように限定されないとともに、上記の説明は、回路１２２による処理の高レベルの概要のみを提供する。
【００２９】
実施例において、ＵＥ１０４は、同様に、アンテナ１２８に結合されたトランシーバ１２６を含むことができる。トランシーバ１２６は、前述したように、１つ又は複数の標準に従って様々な適切な無線通信技術を使用して信号を送信及び受信することができる１つ又は複数の無線機を含むことができる。実施例は、このように限定されない。
【００３０】
図２は、１つ又は複数の装置がその後のＶ２Ｘ通信を通信するように構成するための、開示されたＶ２Ｘパラメータ通信技術のうちの１つ又は複数の実装を代表することができる動作環境２００の一例を例示する。いくつかの例では、動作環境２００は、ＲＡＮノード１０８及びＵＥ１０４を含むことができる。実施例は、このように限定されないとともに、動作環境は、概して、Ｖ２Ｘ通信を行うためにＶ２Ｘパラメータを受信することができる任意の数のＵＥ１０４を含むことに注意が必要である。いくつかの例では、Ｖ２Ｘパラメータは、同様に、本明細書で説明したのと同様の方法で構成された１つ又は複数のＲＳＵによって受信されてもよい。実施例は、同様に、複数のＲＡＮノードを含むことができるとともに、動作環境はそのように限定されない。
【００３１】
ＲＡＮノード１０８は、メモリ２１８と、論理２２４を実装するとともに含む回路２２２とを含むことができる。ＲＡＮノード１０８は、同様に、例えば、Ｖ２Ｘパラメータ２１０を決定して通信するためのトランシーバ２２６を含むことができる。ＲＡＮノード１０８は、Ｖ２Ｘ通信に関連する情報などの情報を処理して通信することができる。
【００３２】
動作中、ＲＡＮノード１０８は、Ｖ２Ｘ通信の指示、又は別の装置からのその後のＶ２Ｘ通信を通信する要求を受信することができる。さらに、ＲＡＮノード１０８は、Ｖ２Ｘ通信のためのトラフィックのタイプ、通信領域又はセルにおける通信トラフィックの量、通信領域又はセルにおける車両交通量、通信領域又はセルにおける車両の平均速度、通信領域又はセルにおける歩行者の存在、通信領域又はセルにおける事故の存在、Ｖ２Ｘ通信に関するレイテンシ要件などのような環境情報及びセルラ情報を受信することができる。ＲＡＮノード１０８は、環境情報及び／又はセルラ情報に基づいて、その後のＶ２Ｘ通信のための１つ又は複数のＶ２Ｘ設定値２１５を変更することを決定することができる。
【００３３】
より具体的には、ＲＡＮノード１０８は、環境情報及びセルラ情報に基づいてＶ２Ｘパラメータを決定することができるとともに、メッセージ（又は複数のメッセージ）でＶ２Ｘパラメータ２１０をＵＥ１０４（並びに他のＵＥ１０４及び／又はＲＳＵ１０６）に通信して、ＵＥ１０４にＶ２Ｘデータ２２０を通信するためのその後のＶ２Ｘ通信用のＶ２Ｘ設定値２１５を構成させることができる。Ｖ２Ｘパラメータ２１０は、Ｖ２Ｘ通信のためのメッセージ伝送レート及びＰＳＩＤを指定することができる。いくつかの例では、実際のメッセージ伝送レート及びＰＳＩＤは、メッセージでＵＥ１０４に通信されてもよい。他の例では、メッセージ伝送レート及びＰＳＩＤは、Ｖ２Ｘ通信のための実際のメッセージ伝送レート及び／又はＰＳＩＤを決定するためにＵＥ１０４により使用され得る、１つ又は複数の値として通信され得る。例えば、メッセージ伝送レートに関連するメッセージ周期整数値は、メッセージでＵＥ１０４に通信されてもよい。ＵＥ１０４は、例えば、メッセージ周期整数値を含むメッセージを受信し、テーブル内の検索に基づいて、適切なメッセージ伝送レートを決定することができる。別の例では、ＰＳＩＤを識別する文字列値は、メッセージでＵＥ１０４に通信されてもよい。文字列値は、例えば、実際のＰＳＩＤ、又はテーブル内でＰＳＩＤを検索するためにＵＥ１０４により使用され得る情報であってもよい。下記で更に詳細に説明されるように、同じメッセージが、メッセージ伝送レートに関するメッセージ周期整数値と、ＰＳＩＤに関する文字列値とを含むことができる。実施例は、このように限定されない。
【００３４】
いくつかの例では、Ｖ２Ｘパラメータ２１０は、３ＧＰＰ技術、及び専用狭域通信（ＤＳＲＣ）のような非３ＧＰＰ技術を利用して通信されるＶ２Ｘ通信のための情報を含むことができる。例えば、メッセージは、３ＧＰＰ技術を利用するＶ２Ｘ通信のためのメッセージ伝送レートに関連するメッセージ周期整数値を含むことができる。同一又は異なるメッセージが、非３ＧＰＰ技術を利用するＶ２Ｘ通信のためのメッセージ伝送レートに関連するメッセージ周期ＤＳＲＣ（message-periodicity-DSRC）整数値を含むことができる。実施例は、このように限定されないとともに、必要に応じて、他の技術をメッセージに追加することができる。
【００３５】
いくつかの実施例において、ＲＡＮノード１０８は、ブロードキャストチャネルを介してブロードキャストメッセージでＶ２Ｘパラメータ２１０を通信することができる。より具体的には、Ｖ２Ｘパラメータ２１０は、ＲＲＣシグナリングを使用してブロードキャストチャネルを介してＵＥ１０４に通信される新しい又は既存のＳＩＢに含まれていてもよい。Ｖ２Ｘパラメータ２１０を含むＳＩＢは、ＵＥ１０４、並びに、ブロードキャストを受信するための範囲内に存在するＵＥ及びＲＳＵなどのあらゆる他の装置に対するブロードキャストメッセージとして、通信されることができる。ＵＥ１０４は、Ｖ２Ｘパラメータ２１０を受信するとともに処理して、Ｖ２Ｘ設定値２１５を設定することができる。一度構成されると、ＵＥ１０４は、Ｖ２Ｘ設定値２１５に従ってＶ２Ｘ通信を行い、Ｖ２Ｘデータ２２０を他のＵＥ及びＲＳＵなどの装置と通信することができる。
【００３６】
いくつかの実施例において、ＲＡＮノード１０８は、ＲＲＣシグナリングを使用し、専用メッセージを使用してＶ２Ｘパラメータ２１０をＵＥ１０４に通信することができる。例えば、ＲＡＮノード１０８は、マルチキャストアドレス指定又はユニキャストアドレス指定を使用して、Ｖ２Ｘパラメータ２１０をＵＥ１０４にメッセージで直接送信することができる。上記で同様に説明したように、Ｖ２Ｘパラメータ２１０は、ＵＥ１０４と他の装置との間のその後のＶ２Ｘ通信のためのメッセージ伝送レート及びＰＳＩＤを含むことができる。実施例において、専用メッセージを通信して利用するＲＡＮノード１０８は、様々なＵＥ１０４と、異なるＶ２Ｘ設定値２１５を構成して設定することができる。例えば、ＲＡＮノード１０８は、ＵＥ１０４のためのＶ２Ｘ設定値を確立するために、最初にＶ２Ｘパラメータ２１０をＵＥ１０４に直接通信することができる。ＵＥ１０４は、Ｖ２Ｘパラメータ２１０を受信し、Ｖ２Ｘパラメータ２１０を処理し、Ｖ２Ｘパラメータ２１０に基づいて、Ｖ２Ｘ設定値２１５を設定して、少なくとも１つの他の装置とＶ２Ｘ動作を行うことができる。ＲＡＮノード１０８は、別のＵＥ又はＲＳＵなどの別の装置に対して、異なる（又は同じ）Ｖ２Ｘパラメータを有する異なる専用メッセージを装置に通信することにより、異なるＶ２Ｘ通信を確立することができる。装置は、異なるＶ２Ｘパラメータを受信し、異なるＶ２Ｘ設定を設定して、Ｖ２Ｘ通信を通信することができる。同じ又は異なるＶ２Ｘパラメータに基づいて、同じ又は異なるＶ２Ｘ設定値を有する可能性のある装置間で、任意の数のＶ２Ｘ通信が確立されることができる。実施例は、このように限定されない。
【００３７】
いくつかの実施例において、ＲＡＮノード１０８は、Ｖ２Ｘパラメータ２１０を、ＭＡＣ  ＰＤＵのＭＡＣヘッダでＵＥ１０４に通信することができる。いくつかの例では、Ｖ２Ｘパラメータ２１０は、例えば、ブロードキャストチャネル又はマルチキャストチャネル上で、ＭＡＣシグナリングを使用して、ＭＡＣ  ＰＤＵのＭＡＣヘッダで通信されてもよい。いくつかの実施例において、ＲＡＮノード１０８は、Ｖ２Ｘパラメータ２１０を含むメッセージ、又は別のＵＥ若しくはＵＥ１０４からのＶ２Ｘ通信に関する要求された設定値を示す情報を受信することができる。ＲＡＮノード１０８は、その後のＶ２Ｘ通信で使用するためのＶ２Ｘパラメータ２１０を含むＭＡＣ層において、ＭＡＣヘッダを生成又は追加することができる。より具体的には、ＲＡＮノード１０８は、その後のＶ２Ｘ通信に使用するために、Ｖ２Ｘパラメータ２１０を含むＭＡＣヘッダを有するＭＡＣ  ＰＤＵを、ＵＥ１０４、並びに他のＵＥ及びＲＳＵなどの範囲内の装置に、ブロードキャスト又はマルチキャストすることができる。したがって、他の装置の全て又は少なくとも一部は、ＭＡＣ  ＰＤＵのＭＡＣヘッダで受信されたＶ２Ｘパラメータ２１０に基づいて、Ｖ２Ｘ通信を通信することができる。例えば、動作環境２００内のＵＥ１０４は、ＲＡＮノード１０８からＭＡＣ  ＰＤＵのＭＡＣヘッダでＶ２Ｘパラメータ２１０を受信し、Ｖ２Ｘパラメータ２１０を処理し、そして発呼側のＵＥ１０４を含む１つ又は複数の他の装置とのその後のＶ２Ｘ通信のためのＶ２Ｘ設定値２１５を設定することができる。実施例は、このように限定されないとともに、他の装置は、同様の動作を行うことができる。
【００３８】
図３は、１つ又は複数の装置がその後のＶ２Ｘ通信を通信するように構成するための、開示されたＶ２Ｘパラメータ通信技術のうちの１つ又は複数の実装を代表することができる動作環境３００の一例を例示する。１つ又は複数の実施例において、例えば、ＭＢＭＳ（Multimedia  Broadcast  Multicast  Service）３０２をサポートするためのチャネルを提供するＭＢＭＳシステム３０５は、Ｖ２Ｘ通信用にＵＥ及びＲＳＵを構成するために利用されることができる。ＭＢＭＳ３０２は、機能エンティティであり得るとともに、ＭＢＭＳベアラサービス及びＭＢＭＳユーザサービスを含むブロードキャストマルチキャストサービスセンタ（ＢＭ−ＳＣ）、ＭＢＭＳゲートウェイ（ＧＷ）、モビリティ管理エンティティ（ＭＭＥ）などを介してサービスを提供することができる。ＭＢＭＳシステム３０５は、ＭＢＭＳサービスを提供するために、ノードなどの１つ又は複数の計算装置を含むことができることに注意が必要である。
【００３９】
いくつかの実施例において、ＭＢＭＳシステム３０５は、例えば、ＭＢＭＳ  ＧＷを介して、任意の数の他のＲＡＮノード１０８−ｋ、例えばｅＮＢ、及びＲＳＵ１０６−ｐにより送信されたセルラ測定値を含み得るセルラ情報３１０を受信することができる。この例示された実施例では、ＭＢＭＳシステム３０５は、Ｖ２Ｘ通信を通信するように装置を構成するために、セルラ情報３１０を使用して、Ｖ２Ｘパラメータ２１０を生成することができる。いくつかの例では、ＭＢＭＳシステム３０５は、Ｖ２Ｘパラメータ２１０を生成する際に使用するために、インテリジェント交通システム（ＩＴＳ）コンテンツプロバイダなどのコンテンツプロバイダ３５０からセルラ情報を受信することができる。実施例は、このように限定されない。
【００４０】
セルラ測定値は、通信領域又はセルに関するセルラ負荷、通信領域又はセルに関するＶ２Ｘサービスを利用する装置の数、及びその後のＶ２Ｘ通信に関するレイテンシ要件を含むことができる。さらに、セルラ負荷は、特定の時点におけるセル内の通信トラフィック量の測定値、又は指定された時間フレームにわたる通信トラフィック量の平均値であってもよい。装置の数は、セル内で通信するＵＥ及びＲＳＵの数を含み得るとともに、レイテンシ要件は、Ｖ２Ｘ通信のための伝送間の最大時間量であり得る。
【００４１】
いくつかの実施例において、ＭＢＭＳシステム３０５は、受信されたセルラ情報３１０に従って、現在のＶ２Ｘ設定値がＶ２Ｘ通信をサポートしているかどうかを判定することができる。現在のＶ２Ｘ設定値が要件をサポートしている場合、ＭＢＭＳシステム３０５は、Ｖ２Ｘ設定値２１５を変更するために、新しいＶ２Ｘパラメータ２１０を通信しない可能性がある。しかしながら、装置に関する現在のＶ２Ｘ設定値が、セルラ情報３１０に指定された要件をサポートしていないか、又はＶ２Ｘ設定値２１５が決定されることができない場合、ＭＢＭＳシステム３０５は、Ｖ２Ｘパラメータ２１０を通信して、受信装置用のＶ２Ｘ設定値２１５を調整することができる。例えば、ＭＢＭＳシステム３０５は、ＭＢＭＳ３０２により提供されるサービスを使用して、１つ又は複数のＵＥ１０４及び／又はＲＳＵ１０６にＶ２Ｘパラメータ２１０をブロードキャスト又はマルチキャストすることができる。いくつかの実施例において、ＭＢＭＳシステム３０５は、３ＧＰＰ技術及び／又は非３ＧＰＰ技術を利用する装置にＶ２Ｘパラメータ２１０を通信することができる。ＭＢＭＳシステム３０５は、セルラ情報３１０、そしていくつかの例では、ＲＡＮノード１０８−ｋ、ＲＳＵ１０６−ｐ、及びコンテンツプロバイダ３５０から受信することができる環境情報などの他の情報に基づいて、通信のためのＶ２Ｘパラメータ２１０を決定することができることに注意が必要である。
【００４２】
いくつかの例では、１つ又は複数のＲＡＮノード１０８−ｋは、Ｖ２Ｘパラメータ２１０を決定し、それらを、通信サービス、例えばマルチキャストサービス及びブロードキャストサービスを提供するＭＢＭＳシステム３０５を介して、ＵＥ１０４及びＲＳＵ１０６に通信することができる。言い換えれば、ＭＢＭＳシステム３０５は、Ｖ２Ｘパラメータ２１０を１つ又は複数の他の装置に提供するために、ＲＡＮノード１０８−ｋ、ＲＳＵ１０６−ｐ、コンテンツプロバイダ３５０と、ＵＥ１０４などの他の装置との間でメッセージ及び情報を通信する、通信サービスプロバイダとして動作することができる。例えば、コンテンツプロバイダ３５０、及び／又は１つ若しくは複数のＲＳＵ１０６−ｐは、ＭＢＭＳシステム３０５を介して、１つ又は複数のＲＡＮノード１０８−ｋに、セルラ情報３１０、環境情報などのような情報を提供することができる。ＲＡＮノード１０８−ｋは、この情報を受信して使用して、ＵＥ１０４のような他の装置とＭＢＭＳシステム３０５を介して通信されることができるＶ２Ｘパラメータ２１０を決定することができる。
【００４３】
ＵＥ１０４のような、Ｖ２Ｘパラメータ２１０を受信するＵＥ及びＲＳＵは、Ｖ２Ｘパラメータ２１０を処理して、その後のＶ２Ｘ通信のためのＶ２Ｘ設定値２１５を生成することができる。次いで、ＵＥ及びＲＳＵは、例えば、Ｖ２Ｘデータ２２０をお互いの間で通信するために、その後のＶ２Ｘ通信を実行することができる。
【００４４】
図４は、本明細書で説明するいくつかの実施例を代表することができる第１の構成プロセス４００の一例を例示する。例えば、構成プロセス４００は、ＲＡＮノード１０８により実行される動作を例示することができる。しかしながら、実施例は、このように限定されないとともに、下記で説明される１つ又は複数の動作は、ＵＥ１０４又はＲＳＵ１０６などの他の装置により実行されてもよい。
【００４５】
ブロック４０５において、構成プロセス４００は、その後のＶ２Ｘ通信のためのＶ２Ｘパラメータを決定することを含み得る。例えば、Ｖ２Ｘパラメータは、車両交通量、車両の平均速度、歩行者の存在、事故の存在などのような環境情報に基づいていてもよい。環境情報は、例えば、ＵＥ、ＲＳＵ、ｅＮＢなどに実装され得る１つ又は複数のセンサ（図示せず）により決定／検出されてもよい。いくつかの例では、情報は、他の１つ又は複数の装置の構成要素により、測定及び／又は計算され、判定装置に通信されてもよい。実施例は、このように限定されない。
【００４６】
いくつかの実施例において、Ｖ２Ｘパラメータは、同様に、セルラ負荷、Ｖ２Ｘサービスを利用する装置の数、及びその後のＶ２Ｘ通信に関するレイテンシ要件などのセルラ情報に基づいていてもよい。セルラ負荷を使用する一例では、メッセージ伝送レートは、セルの負荷が高い（負荷しきい値を超える）ときにはより低く、そしてセルラ負荷が低い（負荷しきい値よりも低い）ときにはより高くなり得る。しきい値は、システムのユーザにより予め決定され及び／又は設定されてもよい。いくつかの例では、メッセージ伝送レートは、セルラ負荷に反比例し得る。実施例は、このように限定されないとともに、Ｖ２Ｘサービスを利用する装置の数を用いて同様の判定を行うことができ、例えば、メッセージ伝送レートは、より多くの装置が存在するときにはより低く、そしてより少ない装置が存在するときにはより高くなり得る。
【００４７】
別の例では、Ｖ２Ｘパラメータを決定するためにレイテンシ要件が使用され得る。例えば、通信利用協調型車間距離制御装置（Cooperative  Adaptive  Cruise  Control：ＣＡＣＣ）、Ｖ２Ｉ／Ｖ２Ｎトラフィックフロー最適化、及びカーブ速度警報（Curve  Speed  Warning）では、１０００ミリ秒のレイテンシが必要である。インフラストラクチャによる道路安全サービス（Road  safety  service  via  infrastructure）には、５００ｍｓのレイテンシが必要である。一方、自律走行（autonomous  driving）は、１ｍｓのレイテンシという非常に厳しい要件を持っている。ＵＥ及びＲＳＵは、より厳密なレイテンシ要件を有するトラフィックよりも、あまり厳密なレイテンシ要件を持たないトラフィックに関して、Ｖ２Ｘ通信を、より少ない頻度で、又はより低いメッセージ伝送レートで通信することができる。より具体的には、メッセージ伝送レートは、道路安全サービス通信及び自律走行通信の場合よりもＣＡＣＣ通信の場合の方が低い可能性がある。別の例では、メッセージ伝送レートは、ＣＡＣＣ通信の場合よりも道路安全サービス通信の場合の方が高いが、自律走行通信の場合のメッセージ伝送レートよりも低い可能性がある。実施例は、これらの実例に限定されないとともに、Ｖ２Ｘパラメータを決定するために、他の環境特性及びセル特性が使用されることができる。
【００４８】
構成プロセス４００は、同様に、ブロック４１０において、Ｖ２Ｘパラメータを含むメッセージを生成することを含み得る。前述したように、Ｖ２Ｘパラメータは、新規又は既存のＳＩＢを使用してメッセージに含まれている可能性がある。別の例では、Ｖ２Ｘパラメータは、別の装置への直接通信のためのメッセージに含まれていてもよい。第３の例では、Ｖ２Ｘパラメータは、ＭＡＣ  ＰＤＵのＭＡＣヘッダに含まれていてもよい。実施例は、このように限定されない。
【００４９】
さらに、ブロック４１５において、構成プロセス４００は、メッセージを少なくとも１つの他の装置に通信することを含み得る。前述のように、メッセージは、ブロードキャスト、マルチキャスト、又はユニキャストを介して通信されてもよい。例えば、新規又は既存のＳＩＢを含むメッセージは、ＲＲＣシグナリングを使用してブロードキャストチャネルを介して通信されてもよい。別の例では、ダイレクトメッセージは、ＲＲＣシグナリングを使用して、マルチキャスト又はユニキャストを介して別の装置に通信されてもよい。第３の例では、Ｖ２Ｘパラメータは、ＭＡＣシグナリングを介して、ブロードキャスト、マルチキャスト、又はユニキャスト通信で、ＭＡＣ  ＰＤＵにおいて通信されてもよい。実施例は、このように限定されない。
【００５０】
図５は、本明細書で説明するいくつかの実施例を代表することができる第２の構成プロセス５００の一例を例示する。例えば、構成プロセス５００は、ＵＥ１０４、ＲＳＵ１０６、又は他の装置により実行される動作を例示することができる。
【００５１】
ブロック５０５において、構成プロセス５００は、Ｖ２Ｘパラメータを含むメッセージを受信することを含み得る。Ｖ２Ｘパラメータは、３ＧＰＰネットワークを介して通信するためのメッセージ伝送レート、ＤＳＲＣなどの非３ＧＰＰネットワークを介して通信するためのメッセージ伝送レート、ネットワークに関するＰＳＩＤ、及び１つ又は複数の他のＶ２Ｘパラメータを含むことができる。Ｖ２Ｘパラメータは、ＲＡＮノード１０８、又はいくつかの例ではＲＳＵ１０６のような別の装置から通信されるブロードキャスト、マルチキャスト、若しくはユニキャストメッセージで受信されてもよい。さらに、メッセージは、Ｖ２Ｘパラメータを有する新規又は既存のＳＩＢを含み得るか、ＭＡＣヘッダにＶ２Ｘパラメータを有するＭＡＣ  ＰＤＵを含み得るか、及び／又は直接メッセージであり得る。実施例は、このように限定されない。
【００５２】
構成プロセス５００は、同様に、その後のＶ２Ｘ通信のためのＶ２Ｘパラメータに基づいて、１つ又は複数のＶ２Ｘ設定値を構成することを含む。より具体的には、Ｖ２Ｘパラメータは、Ｖ２Ｘパラメータを決定するために受信装置により処理される必要があり得る値として通信されてもよい。例えば、メッセージ伝送レートは、１と１０との間（１〜１０）の整数値のようなメッセージ周期整数値として通信されてもよい。整数値は周波数値に変換されてもよく、例えば、１の整数値は１ヘルツ（Ｈｚ）に変換することができる。このように、いくつかの例では、整数値は、周波数値であってもよい。しかしながら、いくつかの例では、整数値は、周波数値に直接対応しない場合がある。例えば、整数値は１〜２０であっても良く、周波数は１Ｈｚ〜１０Ｈｚであってもよい。したがって、偶数（又は奇数）整数値は、開始値に基づいて１／２Ｈｚを表すことができる。実施例は、このように限定されない。
【００５３】
さらに、Ｖ２Ｘパラメータは、正しいＰＳＩＤとＶ２Ｘ通信を通信するように、Ｖ２Ｘ設定値を設定するために使用され得るＰＳＩＤ文字列値としてＰＳＩＤを含むことができる。例えば、ＰＳＩＤ文字列値は、ＰＳＩＤに対応する略語又はいくつかの他の表現を表すことができる。実施例は、このように限定されない。
【００５４】
いくつかの実施例において、Ｖ２Ｘパラメータは、非３ＧＰＰ通信のためのパラメータを含むことができる。例えば、Ｖ２Ｘパラメータは、非３ＧＰＰ無線技術を使用するＶ２Ｘ通信のためのメッセージ伝送レートに対応するメッセージ周期ＤＳＲＣ整数値を含むことができる。上記と同様に、メッセージ周期ＤＳＲＣのための整数値は、メッセージ周期整数値に関して上述したのと同様の方法で使用されることができる。
【００５５】
ブロック５１５において、構成プロセス５００は、少なくとも１つの他の装置とその後の通信を行うことを含み得る。例えば、１つ若しくは複数のＵＥ及び／又はＲＳＵは、１つ若しくは複数の他のＵＥ及び／又はＲＳＵと、Ｖ２Ｘデータを有する１つ又は複数のメッセージを送信及び受信することができる。Ｖ２Ｘデータは、車両情報、交通量情報、位置情報、道路状況情報、道路障害情報、緊急車両情報、交差点情報などを含むことができる。
【００５６】
図６は、本明細書で論じられるいくつかの実施例を代表することができる第３の構成プロセス６００の一例を例示する。例えば、構成プロセス６００は、ＭＢＭＳ３０２などのサービスを提供するＭＢＭＳシステム３０５により実行される動作を例示することができる。
【００５７】
ブロック６０５において、構成プロセス６００は、セルラ負荷、Ｖ２Ｘサービスを利用する装置の数、及びその後のＶ２Ｘ通信に関するレイテンシ要件のうちの少なくとも１つを含むセルラ情報を受信することを含み得る。セルラ負荷は、特定のある時点におけるセル内の通信トラフィック量の測定値、又は指定された時間フレームにわたる通信トラフィック量の平均値であってもよい。装置の数は、セル内で通信するＵＥ及び／又はＲＳＵの数を含み得るとともに、レイテンシ要件は、Ｖ２Ｘ通信のための伝送間の最大時間量であり得る。いくつかの例では、レイテンシ要件は、その後のＶ２Ｘ通信のための通信のタイプに基づくことができる。セルラ情報は、例えば１つ若しくは複数のＲＡＮノード、ＲＳＵ、及び／又はコンテンツプロバイダから受信され得るか、又はＲＡＮノード自体によって決定され得ることに注意が必要である。
【００５８】
いくつかの実施例において、ブロック６１０において、構成プロセス６００は、セル情報に基づいて１つ又は複数のＶ２Ｘパラメータを決定することを含み得る。例えば、実施例は、セルラ負荷、Ｖ２Ｘサービスを利用する装置の数、及びレイテンシ要件に基づいて、Ｖ２Ｘ通信のためのメッセージ伝送レートを設定することを含み得る。いくつかの例では、実施例は、セル情報に加えて環境情報に基づいてＶ２Ｘパラメータを決定することを含み得る。実施例は、このように限定されない。
【００５９】
ブロック６１５において、構成プロセス６００は、同様に、Ｖ２Ｘパラメータを含むメッセージを生成することを含み得る。前述したように、Ｖ２Ｘパラメータは、新規又は既存のＳＩＢを有するメッセージ内に存在してもよい。別の例では、Ｖ２Ｘパラメータは、別の装置への直接通信のためのメッセージに含まれていてもよい。第３の例では、Ｖ２Ｘパラメータは、ＭＡＣ  ＰＤＵのＭＡＣヘッダに含まれていてもよい。実施例は、このように限定されない。
【００６０】
さらに、ブロック６２０において、構成プロセス６００は、メッセージを少なくとも１つの他の装置に通信することを含み得る。前述のように、メッセージは、ブロードキャスト、マルチキャスト、又はユニキャストを介して通信されてもよい。例えば、新規又は既存のＳＩＢを含むメッセージは、ブロードキャストチャネルを介して通信されてもよい。別の例では、ダイレクトメッセージは、マルチキャスト又はユニキャストを介して通信されてもよい。第３の例では、Ｖ２Ｘパラメータは、ブロードキャスト、マルチキャスト、又はユニキャスト通信で、ＭＡＣ  ＰＤＵにおいて通信されてもよい。実施例は、このように限定されない。
【００６１】
いくつかの実施例において、ＵＥ及び／又はＲＳＵなどの１つ又は複数の装置は、例えば、図５において先に説明したように、Ｖ２Ｘパラメータを受信し、Ｖ２Ｘパラメータを処理し、そしてその後のＶ２Ｘ通信のためにＶ２Ｘ設定値を構成することができる。装置は、Ｖ２Ｘパラメータに基づいて、Ｖ２Ｘデータを含むＶ２Ｘ通信を通信することができる。実施例は、このように限定されない。
【００６２】
図７Ａ／７Ｂは、Ｖ２Ｘ通信を構成するために別の装置と通信するためのＶ２Ｘパラメータ２１０を含むことができる例示的なメッセージフォーマット７００及び７５０を例示する。より具体的には、図７Ａは、Ｖ２Ｘパラメータ２１０を備えたＳＩＢ７２０を有する無線リソース制御（ＲＲＣ）メッセージ７００を例示する。いくつかの実施例において、ＳＩＢ７２０は、３ＧＰＰ  ＴＳ３６．３３１などの１つ又は複数の仕様書で定義された新しいＳＩＢ又は既存のＳＩＢであってもよい。
【００６３】
例示的な実施例において、下記で示されるように、情報要素（information  element：ＩＥ）“SystemInformationBlockTypeX”は、Ｖ２Ｘパラメータを通信するために使用されることができる。
【００６４】
【数１】
0006805177.tif 000002
【００６５】
【表１】
0006805177.tif 000003
【００６６】
さらに、表１において定義されるように、メッセージ周期は、１と１０との間の整数値であり得るとともに、その後のＶ２Ｘ通信を通信するためのメッセージ伝送レートを決定するために使用され得る。例えば、１０の整数値は１０Ｈｚに対応し得るとともに、１の整数値は１Ｈｚに対応し得る。前述したように、実施例は、このように限定されない。
【００６７】
別の例では、ネットワークは、同様に、他の非３ＧＰＰ無線技術のためのメッセージ周期を定義することができる。下記は、ＤＳＲＣ及びＬＴＥメッセージの周期が定義されたＳＩＢの例である。この例におけるＳＩＢは、ＬＴＥ、及びＤＳＲＣ又は他の非３ＧＰＰ技術をサポートするＵＥに適用することができる。これらの他の技術は適宜追加されることができる。
【００６８】
【数２】
0006805177.tif 000004
【００６９】
【表２】
0006805177.tif 000005
【００７０】
メッセージ周期は、１と１０との間の整数値であり得るとともに、３ＧＰＰ技術を介してその後のＶ２Ｘ通信を通信するためのメッセージ伝送レートを決定するために使用され得ることに注意が必要である。同様に、メッセージ周期ＤＳＲＣは、非３ＧＰＰ通信に関する最大許容周期を含むことができる。メッセージ周期ＤＳＲＣは、同様に、１と１０との間の整数値であり得るとともに、その後のＶ２Ｘ通信を通信するためのメッセージ伝送レートを決定するために使用され得る。実施例はこれらの整数値に限定されず、他の値がメッセージ周期パラメータとして使用され得ることに注意が必要である。第３の例では、下記で示されるように、他のフィールドが上記のＳＩＢのうちの１つに追加されることができる。
【００７１】
【数３】
0006805177.tif 000006
【００７２】
【表３】
0006805177.tif 000007
【００７３】
表３において論じられるように、メッセージ周期は、３ＧＰＰ通信に関する最大許容周期を含むことができる。さらに、ＰＳＩＤは、Ｖ２Ｘ通信を使用するアプリケーションサービスを特定する。ＰＳＩＤ値は、Ｖ２Ｘ  ＵＥが使用することが許可されている通信サービスのタイプを決定するＶ２Ｘ  ＰｒｏＳｅ機能により使用されることができる。他の装置との通信のために、他のフィールドがＳＩＢに追加されてもよいことに注意が必要である。実施例は、これらのＳＩＢの例に限定されない。例えば、他のＳＩＢは、Ｖ２Ｘパラメータとして含まれるべき他のフィールドに基づいて定義されてもよい。
【００７４】
図７Ｂは、ＭＡＣヘッダ７６０及びＭＡＣペイロード７７０を有するＭＡＣ  ＰＤＵ７５０を例示する。ＭＡＣヘッダ７６０は、Ｖ２Ｘパラメータ２１０及びいくつかのＭＡＣサブヘッダ（図示せず）を含むことができる。いくつかの実施例において、ＭＡＣサブヘッダは、Ｖ２Ｘパラメータ２１０を含むことができる。ＭＡＣヘッダ７６０は、同様に、論理チャネルＩＤ（ＬＣＩＤ）フィールド、長さフィールド、フォーマットフィールド、及び拡張フィールドなど、図示されていない多数の他のフィールドを含むことができる。実施例は、このように限定されない。
【００７５】
前述したように、Ｖ２Ｘパラメータ２１０は、ｅＮＢ、ＲＡＮノード、又はＲＳＵなどの装置により、ＭＡＣ層におけるＭＡＣヘッダ７６０に追加されてもよい。いくつかの例では、ＭＡＣヘッダ７６０は、ＵＥなどの別の装置により生成される１つ又は複数のメッセージに追加され得るとともに、セル若しくは通信領域内でブロードキャスト又はマルチキャストされるようにＲＡＮノード、ｅＮＢ、又はＲＳＵにより追加され得る。実施例は、このように限定されない。
【００７６】
図８は、記憶媒体８００の実施例及び記憶媒体８５０の実施例を例示する。記憶媒体８００及び８５０は、光記憶媒体、磁気記憶媒体、又は半導体記憶媒体のようなあらゆる非一時的なコンピュータ読み取り可能記憶媒体又は機械読み取り可能記憶媒体を含み得る。各種の実施例において、記憶媒体８００及び８５０は、工業製品（article  of  manufacture）を含み得る。いくつかの実施例において、記憶媒体８００及び８５０は、論理フロー４００、５００、及び６００をそれぞれ実施するためのコンピュータ実行可能命令のようなコンピュータ実行可能命令を格納し得る。コンピュータ読み取り可能記憶媒体又は機械読み取り可能記憶媒体の実例は、揮発性メモリ又は不揮発性メモリ、取り外し可能メモリ又は取り外し不可能メモリ、消去可能メモリ又は消去不能メモリ、書き込み可能メモリ又は再書き込み可能メモリなどを含んでいる、電子データを格納することが可能であるあらゆる有形の媒体を含み得る。コンピュータ実行可能命令の実例は、ソースコード、コンパイルされたコード（compiled  code）、解釈されたコード（interpreted  code）、実行可能コード、静的なコード、動的なコード、オブジェクト指向のコード（object-oriented  code）、視覚的コード（visual  code）などのようなあらゆる適切な種類のコードを含み得る。実施例は、この文脈に限定されない。
【００７７】
ここで使用されるように、“回路”という用語は、特定用途向け集積回路（ＡＳＩＣ）、電子回路、１つ若しくは複数のソフトウェア又はファームウェアプログラムを実行するプロセッサ（共有、専用、若しくはグループ）及び／又はメモリ（共有、専用、若しくはグループ）、組み合わせ論理回路、そして／あるいは、説明された機能を提供する他の適切なハードウェアコンポーネントのことを指し得るか、これらの一部であり得るか、又はこれらを含み得る。いくつかの実施例において、回路は、１つ若しくは複数のソフトウェア又はファームウェアモジュールで実装され得るか、あるいは、回路に関連する機能は、１つ若しくは複数のソフトウェア又はファームウェアモジュールによって実装され得る。いくつかの実施例において、回路は、少なくとも部分的にハードウェアで動作可能な論理を含むことができる。明細書で説明される実施例は、任意の適切に構成されたハードウェア及び／又はソフトウェアを使用してシステムに実装されてもよい。
【００７８】
図９は、様々な実施例において１つ又は複数の開示された技術を実装するＵＥを代表することができるＵＥ装置９００の一例を例示する。例えば、ＵＥ装置９００は、いくつかの実施例によるＵＥ１０４を代表することができる。いくつかの実施例において、ＵＥ装置９００は、少なくとも図示されるように一緒に結合された、アプリケーション回路９０２、ベースバンド回路９０４、無線周波数（ＲＦ）回路９０６、フロントエンドモジュール（ＦＥＭ）回路９０８、及び１つ又は複数のアンテナ９１０を含むことができる。
【００７９】
アプリケーション回路９０２は、１つ又は複数のアプリケーションプロセッサを含むことができる。例えば、アプリケーション回路９０２は、下記には限定されないが、１つ若しくは複数のシングルコア又はマルチコアプロセッサなどの回路を含むことができる。（複数の）プロセッサは、汎用プロセッサと専用プロセッサ（例えば、グラフィックプロセッサ、アプリケーションプロセッサなど）の任意の組み合わせを含むことができる。プロセッサは、メモリ／ストレージと結合されてもよく、及び／又はメモリ／ストレージを含んでもよく、様々なアプリケーション及び／又はオペレーティングシステムがシステム上で動作することを可能にするために、メモリ／ストレージに記憶された命令を実行するように構成されてもよい。
【００８０】
ベースバンド回路９０４は、下記には限定されないが、１つ若しくは複数のシングルコア又はマルチコアプロセッサなどの回路を含むことができる。ベースバンド回路９０４は、ＲＦ回路９０６の受信信号経路から受信したベースバンド信号を処理し、そしてＲＦ回路９０６の送信信号経路用のベースバンド信号を生成するために、１つ若しくは複数のベースバンドプロセッサ及び／又は制御論理回路を含むことができる。ベースバンド処理回路９０４は、ベースバンド信号の生成及び処理のために、並びにＲＦ回路９０６の動作の制御のために、アプリケーション回路９０２とインタフェースすることができる。例えば、いくつかの実施例において、ベースバンド回路９０４は、第２世代（２Ｇ）ベースバンドプロセッサ９０４ａ、第３世代（３Ｇ）ベースバンドプロセッサ９０４ｂ、第４世代（４Ｇ）ベースバンドプロセッサ９０４ｃ、及び／又は、他の既存の世代、（例えば、第５世代（５Ｇ）、６Ｇなど）開発中であるか又は将来開発されるべき世代のための（複数の）他のベースバンドプロセッサ９０４ｄを含むことができる。ベースバンド回路９０４（例えば、ベースバンドプロセッサ９０４ａ〜９０４ｄのうちの１つ又は複数）は、ＲＦ回路９０６を介して１つ又は複数の無線ネットワークとの通信を可能にする様々な無線制御機能を処理することができる。無線制御機能は、下記には限定されないが、信号変調／復調、符号化／復号、無線周波数シフトなどを含むことができる。いくつかの実施例において、ベースバンド回路９０４の変調／復調回路は、高速フーリエ変換（ＦＦＴ）、プリコーディング（precoding）、及び／又はコンステレーションマッピング／デマッピング機能を含むことができる。いくつかの実施例において、ベースバンド回路９０４の符号化／復号回路は、畳み込み、テールバイティング畳み込み（tail-biting  convolution）、ターボ、ビタビ、及び／又は低密度パリティチェック（Low  Density  Parity  Check：ＬＤＰＣ）符号化／復号機能を含むことができる。変調／復調及び符号化／復号機能の実施例は、これらの実例に限定されず、他の実施例において他の適切な機能を含むことができる。
【００８１】
いくつかの実施例において、ベースバンド回路９０４は、例えば物理層（ＰＨＹ）、媒体アクセス制御（ＭＡＣ）、無線リンク制御（ＲＬＣ）、パケットデータ収束プロトコル（packet  data  convergence  protocol：ＰＤＣＰ）、及び／又は無線リソース制御（ＲＲＣ）要素を含んでいる、例えば進化型ユニバーサル地上無線アクセスネットワーク（ＥＵＴＲＡＮ）プロトコルの要素などの、プロトコルスタックの要素を含むことができる。ベースバンド回路９０４の中央処理装置（ＣＰＵ）９０４ｅは、ＰＨＹ、ＭＡＣ、ＲＬＣ、ＰＤＣＰ、及び／又はＲＲＣ層のシグナリングのためのプロトコルスタックの要素を実行するように構成されることができる。
【００８２】
いくつかの実施例において、ベースバンド回路は、１つ又は複数のオーディオデジタル信号プロセッサ（ＤＳＰ）９０４ｆを含むことができる。（複数の）オーディオＤＳＰ９０４ｆは、圧縮／復元及びエコー消去のための要素を含むことができるとともに、他の実施例において他の適切な処理要素を含むことができる。ベースバンド回路の構成要素は、いくつかの実施例では、適切に、単一チップ、単一チップセットに組み込まれるか、又は同じ回路基板上に配置されることができる。いくつかの実施例において、ベースバンド回路９０４及びアプリケーション回路９０２の構成要素の一部又は全部は、例えば、システムオンチップ（ＳＯＣ）などに一緒に実装されてもよい。
【００８３】
いくつかの実施例において、ベースバンド回路９０４は、１つ又は複数の無線技術と互換性のある通信を提供することができる。例えば、いくつかの実施例において、ベースバンド回路９０４は、進化型ユニバーサル地上無線アクセスネットワーク（ＥＵＴＲＡＮ）、及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路９０４が複数の無線プロトコルの無線通信をサポートするように構成された実施例は、マルチモードベースバンド回路と呼ばれ得る。
【００８４】
ＲＦ回路９０６は、非固体媒体（non-solid  medium）を介して変調された電磁放射線（electromagnetic  radiation）を使用して無線ネットワークと通信することを可能にすることができる。各種の実施例において、ＲＦ回路９０６は、スイッチ、フィルタ、増幅器などを含み、無線ネットワークとの通信を容易にすることができる。ＲＦ回路９０６は、ＦＥＭ回路９０８から受信されたＲＦ信号をダウンコンバートし、ベースバンド回路９０４にベースバンド信号を提供する回路を含み得る受信信号経路を含むことができる。ＲＦ回路９０６は、同様に、ベースバンド回路９０４により提供されるベースバンド信号をアップコンバートし、送信のためにＦＥＭ回路９０８にＲＦ出力信号を提供する回路を含み得る送信信号経路を含むことができる。
【００８５】
いくつかの実施例において、ＲＦ回路９０６は、受信信号経路及び送信信号経路を含むことができる。ＲＦ回路９０６の受信信号経路は、ミキサ回路９０６ａ、増幅回路９０６ｂ、及びフィルタ回路９０６ｃを含むことができる。ＲＦ回路９０６の送信信号経路は、フィルタ回路９０６ｃ、及びミキサ回路９０６ａを含むことができる。ＲＦ回路９０６は、同様に、受信信号経路及び送信信号経路のミキサ回路９０６ａによって使用される周波数を合成するシンセサイザ回路（synthesizer  circuitry）９０６ｄを含むことができる。いくつかの実施例において、受信信号経路のミキサ回路９０６ａは、シンセサイザ回路９０６ｄにより提供された合成周波数に基づいて、ＦＥＭ回路９０８から受信されたＲＦ信号をダウンコンバートするように構成され得る。増幅回路９０６ｂは、ダウンコンバートされた信号を増幅するように構成され得るとともに、フィルタ回路９０６ｃは、ダウンコンバートされた信号から不要な信号を除去し、出力ベースバンド信号を生成するように構成されたローパスフィルタ（ＬＰＦ）又はバンドパスフィルタ（ＢＰＦ）であり得る。出力ベースバンド信号は、さらなる処理のためにベースバンド回路９０４に供給されてもよい。いくつかの実施例において、出力ベースバンド信号は、ゼロ周波数のベースバンド信号であってもよいが、これは必要条件ではない。いくつかの実施例において、受信信号経路のミキサ回路９０６ａは、パッシブミキサを含むことができるが、実施例の範囲はこの点に限定されない。
【００８６】
いくつかの実施例において、送信信号経路のミキサ回路９０６ａは、シンセサイザ回路９０６ｄにより提供された合成周波数に基づいて、入力ベースバンド信号をアップコンバートし、ＦＥＭ回路９０８のためのＲＦ出力信号を生成するように構成され得る。ベースバンド信号は、ベースバンド回路９０４により提供されてもよく、そしてフィルタ回路９０６ｃによりフィルタリングされてもよい。フィルタ回路９０６ｃは、ローパスフィルタ（ＬＰＦ）を含むことができるが、実施例の範囲はこの点に限定されない。
【００８７】
いくつかの実施例において、受信信号経路のミキサ回路９０６ａ及び送信信号経路のミキサ回路９０６ａは、２つ以上のミキサを含むことができるとともに、それぞれ、直交ダウンコンバージョン及び／又は直交アップコンバージョンのために配置されることができる。いくつかの実施例において、受信信号経路のミキサ回路９０６ａ及び送信信号経路のミキサ回路９０６ａは、２つ以上のミキサを含むことができるとともに、イメージ除去（例えば、ハートレーイメージ除去）のために配置されることができる。いくつかの実施例において、受信信号経路のミキサ回路９０６ａ及び送信信号経路のミキサ回路９０６ａは、それぞれ、直接ダウンコンバージョン及び／又は直接アップコンバージョンのために配置されることができる。いくつかの実施例において、受信信号経路のミキサ回路９０６ａ及び送信信号経路のミキサ回路９０６ａは、スーパーヘテロダイン動作用に構成されることができる。
【００８８】
いくつかの実施例において、出力ベースバンド信号及び入力ベースバンド信号は、アナログベースバンド信号であってもよいが、実施例の範囲はこの点に限定されない。いくつかの代替の実施例では、出力ベースバンド信号及び入力ベースバンド信号は、デジタルベースバンド信号であってもよい。これらの代替の実施例では、ＲＦ回路９０６は、アナログ−デジタル変換器（ＡＤＣ）及びデジタル−アナログ変換器（ＤＡＣ）回路を含むことができるとともに、ベースバンド回路９０４は、ＲＦ回路９０６と通信するためのデジタルベースバンドインタフェースを含むことができる。
【００８９】
いくつかのデュアルモードの実施例では、別個の無線ＩＣ回路が各スペクトルの信号を処理するために設けられてもよいが、実施例の範囲はこの点に限定されない。
【００９０】
いくつかの実施例において、シンセサイザ回路９０６ｄは、Ｎ分周シンセサイザ又はＮ／Ｎ＋１分周シンセサイザであってもよいが、他のタイプの周波数シンセサイザが適切であり得るように、実施例の範囲はこの点に限定されない。例えば、シンセサイザ回路９０６ｄは、デルタ−シグマシンセサイザ、周波数逓倍器、又は、分周器を備えた位相同期ループを含むシンセサイザであってもよい。
【００９１】
シンセサイザ回路９０６ｄは、周波数入力及び分周器制御入力に基づいて、ＲＦ回路９０６のミキサ回路９０６ａにより使用される出力周波数を合成するように構成されてもよい。いくつかの実施例において、シンセサイザ回路９０６ｄは、Ｎ／Ｎ＋１分周シンセサイザであってもよい。
【００９２】
いくつかの実施例において、周波数入力は電圧制御発振器（ＶＣＯ）により提供されてもよいが、これは必要条件ではない。分周器制御入力は、所望の出力周波数に応じて、ベースバンド回路９０４又はアプリケーションプロセッサ９０２のいずれかにより提供されてもよい。いくつかの実施例において、分周器制御入力（例えば、Ｎ）は、アプリケーションプロセッサ９０２により示されるチャネルに基づいて、ルックアップテーブルから決定されてもよい。
【００９３】
ＲＦ回路９０６のシンセサイザ回路９０６ｄは、分周器、遅延同期ループ（ＤＬＬ）、マルチプレクサ、及び位相アキュムレータを含むことができる。いくつかの実施例において、分周器は、二重係数分周器（dual  modulus  divider：ＤＭＤ）であり得るとともに、位相アキュムレータは、デジタル位相アキュムレータ（digital  phase  accumulator：ＤＰＡ）であり得る。いくつかの実施例において、ＤＭＤは、分数分周比を提供するために、入力信号をＮ又はＮ＋１のいずれかによって（例えば、桁上げに基づいて）分周するように構成されてもよい。いくつかの例示的な実施例では、ＤＬＬは、カスケード接続された、調整可能な、遅延素子、位相検出器、チャージポンプ、及びＤ型フリップフロップのセットを含むことができる。これらの実施例では、遅延素子は、ＶＣＯ期間をＮｄ個の等しい位相パケットに分割するように構成されることができ、ここで、Ｎｄは遅延線における遅延素子の数である。このように、ＤＬＬは、負帰還を提供し、遅延線を通る合計遅延が１ＶＣＯサイクルであることを保証するのを支援する。
【００９４】
いくつかの実施例において、シンセサイザ回路９０６ｄは、出力周波数としてキャリア周波数を生成するように構成されてもよく、一方、他の実施例では、出力周波数は、搬送波周波数の倍数（例えば、搬送波周波数の２倍、搬送波周波数の４倍）であってもよく、互いに異なる複数の位相を有する、搬送波周波数における複数の信号を生成するために、直交ジェネレータ及び分周器回路と共に使用される。いくつかの実施例において、出力周波数は、ＬＯ周波数（ｆＬＯ）であってもよい。いくつかの実施例において、ＲＦ回路９０６は、ＩＱ／極性コンバータを含むことができる。
【００９５】
ＦＥＭ回路９０８は、受信信号経路を含むことができ、受信信号経路は、１つ又は複数のアンテナ９１０から受信されたＲＦ信号に対して動作し、受信信号を増幅し、そしてさらなる処理のために、受信信号の増幅されたバージョンをＲＦ回路９０６に供給するように構成された回路を含み得る。ＦＥＭ回路９０８は、同様に、送信信号経路を含むことができ、送信信号経路は、１つ又は複数のアンテナ９１０のうちの１つ又は複数による送信のために、ＲＦ回路９０６により提供される送信用の信号を増幅するように構成された回路を含み得る。
【００９６】
いくつかの実施例において、ＦＥＭ回路９０８は、送信モード動作と受信モード動作との間を切り替えるためのＴＸ／ＲＸスイッチを含むことができる。ＦＥＭ回路は、受信信号経路及び送信信号経路を含むことができる。ＦＥＭ回路の受信信号経路は、受信されたＲＦ信号を増幅して、増幅された受信ＲＦ信号を出力として（例えば、ＲＦ回路９０６に）供給する、低ノイズ増幅器（ＬＮＡ）を含むことができる。ＦＥＭ回路９０８の送信信号経路は、（例えば、ＲＦ回路９０６により提供される）入力ＲＦ信号を増幅する電力増幅器（ＰＡ）と、（例えば、１つ又は複数のアンテナ９１０のうちの１つ又は複数による）その後の送信のためのＲＦ信号を生成する１つ又は複数のフィルタとを含むことができる。
【００９７】
いくつかの実施例において、ＵＥ装置９００は、例えば、メモリ／ストレージ、ディスプレイ、カメラ、センサ、及び／又は入出力（Ｉ／Ｏ）インタフェースなどの追加の要素を含むことができる。
【００９８】
図１０は、ＵＥ１０４、ＲＳＵ１０６、処理フロー４００、５００、及び６００、記憶媒体８００、記憶媒体８５０、並びにＵＥ９００のうちの１つ又は複数を実施し得る通信装置１０００の実施例を例示する。各種の実施例において、装置１０００は、論理回路１０２８を含み得る。論理回路１０２８は、例えば、ＵＥ１０４、ＲＳＵ１０６、処理フロー４００、５００、及び６００、並びに図９のＵＥ９００のうちの１つ又は複数について説明された動作を実行する物理的な回路を含み得る。図１０において示されるように、実施例は下記の構成に限定されないが、装置１０００は、無線通信インタフェース１０１０、ベースバンド回路１０２０、及び計算プラットフォーム１０３０を含み得る。
【００９９】
装置１０００は、単一の計算エンティティにおいて、例えば完全に単一の装置内で、ＵＥ１０４、ＲＳＵ１０６、処理フロー４００、５００、及び６００、記憶媒体８００、記憶媒体８５０、ＵＥ９００、並びに論理回路１０２８のうちの１つ又は複数のための構造及び／若しくは動作のうちのいくつか又は全部を実施し得る。その代わりに、装置１０００は、ＵＥ１０４、ＲＳＵ１０６、処理フロー４００、５００、及び６００、記憶媒体８００、記憶媒体８５０、ＵＥ９００、並びに論理回路１０２８のうちの１つ又は複数のための構造及び／若しくは動作のうちの一部を、クライアント−サーバアーキテクチャ、３層アーキテクチャ、Ｎ層アーキテクチャ、密結合又はクラスタ化アーキテクチャ、ピアツーピアアーキテクチャ、マスタ−スレーブアーキテクチャ、共有データベースアーキテクチャ、並びに他のタイプの分散処理システムのような分散システムアーキテクチャを使用して、複数の計算エンティティのいたる所に分配することができる。実施例は、この文脈に限定されない。
【０１００】
実施例は特定の無線の（over-the-air）インタフェース又は変調スキームに全く限定されないが、一実施例において、無線通信インタフェース１０１０は、単一キャリア又はマルチキャリア変調された信号（例えば、相補型符号変調（complementary  code  keying：ＣＣＫ）シンボル、直交周波数分割多重（orthogonal  frequency  division  multiplexing：ＯＦＤＭ）シンボル、及び／又は単一キャリア周波数分割多元接続（single-carrier  frequency  division  multiple  access：ＳＣ−ＦＤＭＡ）シンボルを含んでいる）を送信すること及び／又は受信することに適当なコンポーネント、又はコンポーネントの組み合わせを含み得る。無線通信インタフェース１０１０は、例えば、受信機１０１２、周波数シンセサイザ１０１４、及び／又は送信機１０１６を含み得る。無線通信インタフェース１０１０は、バイアス制御装置、水晶発振器、及び／又は、１つ若しくは複数のアンテナ１０１８−ｆを含み得る。別の実施例において、無線通信インタフェース１０１０は、要求どおりに、外部の電圧制御発振器（voltage-controlled  oscillator：ＶＣＯ）、表面弾性波フィルタ、中間周波数（intermediate  frequency：ＩＦ）フィルタ、及び／又はＲＦフィルタを使用し得る。いろいろな可能性があるＲＦインタフェース設計に起因して、ＲＦインタフェース設計の拡張的な説明は省略される。
【０１０１】
ベースバンド回路１０２０は、受信信号及び／又は送信信号を処理するために、無線通信インタフェース８１０と通信し得るとともに、例えば、受信されたＲＦ信号をダウンコンバートするためのミキサと、アナログ信号をデジタル形式に変換するためのアナログ／デジタル（analog-to-digital）変換器１０２２と、デジタル信号をアナログ形式に変換するためのデジタル／アナログ（digital-to-analog）変換器１０２４と、送信のために信号をアップコンバートするためのミキサとを含み得る。さらに、ベースバンド回路１０２０は、それぞれの受信信号／送信信号の物理層（physical  layer：ＰＨＹ）リンクレイヤ処理のためのベースバンド又はＰＨＹ処理回路１０２６を含み得る。ベースバンド回路１０２０は、例えば、媒体アクセス制御（medium  access  control：ＭＡＣ）／データリンク層処理のためのＭＡＣ処理回路１０２７を含み得る。ベースバンド回路１０２０は、ＭＡＣ処理回路１０２７と通信するため、及び／又は、例えば１つ若しくは複数のインタフェース１０３４により計算プラットフォーム１０３０と通信するためのメモリコントローラ１０３２を含み得る。
【０１０２】
いくつかの実施例において、ＰＨＹ処理回路１０２６は、通信フレームを組み立てるか、及び／又は分解するために、バッファメモリのような追加の回路と組み合わせてフレーム構築及び／又は検出モジュールを含み得る。その代わりに又はさらに、ＭＡＣ処理回路１０２７は、これらの機能のうちのいくつかに関して処理を分担し得るか、又は、ＰＨＹ処理回路１０２６から独立してこれらの処理を実行し得る。いくつかの実施例において、ＭＡＣ処理及びＰＨＹ処理は、単一の回路に統合され得る。
【０１０３】
計算プラットフォーム１０３０は、装置１０００に計算機能を提供し得る。図示されるように、計算プラットフォーム１０３０は、処理コンポーネント１０４０を含み得る。ベースバンド回路１０２０に加えて、又はベースバンド回路１０２０の代わりに、装置１０００は、処理コンポーネント１０４０を使用して、ＵＥ１０４、ＲＳＵ１０６、処理フロー４００、５００、及び６００、記憶媒体８００、記憶媒体８５０、ＵＥ９００、並びに論理回路１０２８のうちの１つ又は複数のための処理操作又は論理（logic）を実行し得る。処理コンポーネント１０４０（及び／又はＰＨＹ１０２６、及び／又はＭＡＣ１０２７）は、様々なハードウェアエレメント、ソフトウェアエレメント、又は両方の組み合わせを含み得る。ハードウェアエレメントの実例は、装置、論理装置、コンポーネント、プロセッサ、マイクロプロセッサ、回路、プロセッサ回路、回路素子（例えば、トランジスタ、抵抗器、キャパシタ、インダクタなど）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、メモリユニット、論理ゲート、レジスタ、半導体素子、チップ、マイクロチップ、チップセットなどを含み得る。ソフトウェアエレメントの実例は、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウエア、ミドルウェア、ファームウェア、ソフトウェアモジュール、ルーチン、サブルーチン、ファンクション（機能）、メソッド（方法）、プロシージャ（手順）、ソフトウェアインタフェース、アプリケーションプログラムインタフェース（ＡＰＩ）、命令セット、計算コード、コンピュータコード、コードセグメント、コンピュータコードセグメント、ワード（words）、値（values）、シンボル、又はそれらのあらゆる組み合わせを含み得る。実施例がハードウェアエレメント及び／又はソフトウェアエレメントを使用して実施されるかどうかを判定することは、与えられた実装例に関して要求される所望の計算レート、電力レベル、耐熱性、処理サイクル量、入力データレート、出力データレート、メモリ資源、データバス速度、及び他の設計の制約又は性能の制約のようなあらゆる数の要因に従って変化し得る。
【０１０４】
計算プラットフォーム１０３０は、他のプラットフォームコンポーネント１０５０を更に含み得る。他のプラットフォームコンポーネント１０５０は、１つ又は複数のプロセッサ、マルチコアプロセッサ、コプロセッサ、メモリユニット、チップセット、コントローラ、周辺装置、インタフェース、発振器、時間計測器、ビデオカード、オーディオカード、マルチメディア入出力（Ｉ／Ｏ）コンポーネント（例えば、デジタル表示装置）、電源などのような一般的な計算要素を含む。メモリユニットの実例は、限定されることなく、例えば、読み取り専用メモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ、強誘電性ポリマーメモリのようなポリマーメモリ、オボニックメモリ、位相変化又は強誘電性メモリ、シリコン−酸化物−窒化物−酸化物−シリコン（ＳＯＮＯＳ）メモリ、磁気若しくは光学カード、レイド（Redundant  Array  of  Independent  Disk：ＲＡＩＤ）デバイスのようなデバイスのアレイ、ソリッドステートメモリ装置（例えば、ＵＳＢメモリ、ソリッドステートドライブ（ＳＳＤ））、及び情報を格納するのに適しているあらゆる他の種類の記憶媒体のような、１つ又は複数のより高速のメモリユニットの形式の様々な種類のコンピュータ読み取り可能及び機械読み取り可能記憶媒体を含み得る。
【０１０５】
装置１０００は、例えば、ウルトラモバイルデバイス（ultra-mobile  device）、移動機、固定型装置、マシンツーマシン（machine-to-machine：Ｍ２Ｍ）デバイス、携帯情報端末（personal  digital  assistant：ＰＤＡ）、移動計算装置（mobile  computing  device：モバイルコンピューティング装置）、スマートフォン（smart  phone）、電話、デジタル電話、セルラ電話、ユーザ装置、ｅブックリーダ（eBook  reader）、ハンドセット（handset）、一方向ページャ（one-way  pager）、双方向ページャ（two-way  pager）、メッセージング装置（messaging  device）、コンピュータ、パーソナルコンピュータ（personal  computer：ＰＣ）、デスクトップコンピュータ（desktop  computer）、ラップトップコンピュータ（laptop  computer）、ノートブックコンピュータ（notebook  computer）、ネットブックコンピュータ（netbook  computer）、ハンドヘルドコンピュータ（handheld  computer）、タブレットコンピュータ（tablet  computer）、サーバ、サーバアレイ若しくはサーバファーム、ウェブサーバ、ネットワークサーバ、インターネットサーバ、ワークステーション、ミニコンピュータ（mini-computer）、メインフレームコンピュータ（main  frame  computer）、スーパーコンピュータ（supercomputer）、ネットワークアプライアンス（network  appliance）、ウェブアプライアンス（web  appliance）、分散型計算システム、マルチプロセッサシステム、プロセッサに基づくシステム（processor-based  system）、民生用電子機器（consumer  electronics）、プログラム可能民生用電子機器（programmable  consumer  electronics）、ゲーム機器（game  device）、ディスプレイ、テレビ受信機、デジタルテレビ、セットトップボックス、無線アクセスポイント、基地局、ノードＢ、加入者ステーション、移動加入者センタ（mobile  subscriber  center）、無線ネットワーク制御装置、ルータ、ハブ、ゲートウェイ、ブリッジ、スイッチ、マシン（machine）、又はそれらの組み合わせであり得る。したがって、ここで説明された装置１０００の機能及び／又は特定の構成は、適切に要求されるように、装置１０００の各種の実施例に含まれ得るか、又は装置１０００の各種の実施例において省略され得る。
【０１０６】
装置１０００の実施例は、単一入力単一出力（single  input  single  output：ＳＩＳＯ）アーキテクチャを使用して実施され得る。しかしながら、いくつかの実装例は、ビームフォーミング若しくは空間分割多元接続（spatial  division  multiple  access：ＳＤＭＡ）のためのアダプティブアンテナ技術を使用するか、並びに／又はＭＩＭＯ通信技術を使用する送信及び／若しくは受信のための複数のアンテナ（例えば、アンテナ１０１８−ｆ）を含み得る。
【０１０７】
装置１０００のコンポーネント及び特徴は、ディスクリート回路、特定用途向け集積回路（ＡＳＩＣ）、論理ゲート、及び／又はシングルチップアーキテクチャのあらゆる組み合わせを使用して実施され得る。さらに、装置１０００の特徴は、マイクロコントローラ、プログラム可能なロジックアレー、及び／若しくはマイクロプロセッサ、又は、適宜適切なこれらのあらゆる組み合わせを使用して実施され得る。ハードウェアエレメント、ファームウェアエレメント、及び／又はソフトウェアエレメントが、ここでは集合的に若しくは個別に“論理回路（logic）”又は“回路”として参照され得る、ということは注目に値する。
【０１０８】
図１０のブロック図において示される代表的な装置１０００は多くの潜在的な実装例のうちの一つの機能的に説明的な実例を表し得る、ということが認識されるべきである。したがって、添付の図面において描写されたブロック機能の分割、省略、又は包含は、実施例においてこれらの機能を実装するためのハードウェアコンポーネント、回路、ソフトウェア、及び／若しくはエレメントが必ず分割される、省略される、又は含まれるということを暗示しない。
【０１０９】
図１１は、広帯域無線アクセスシステム１１００の実施例を例示する。図１１において示されるように、広帯域無線アクセスシステム１１００は、インターネット１１１０に対する移動無線アクセス及び／若しくは固定無線アクセスをサポートすることが可能であるインターネット１１１０タイプのネットワーク、又は同様のものを含んでいる、インターネットプロトコル（internet  protocol：ＩＰ）タイプのネットワークであり得る。１つ又は複数の実施例において、広帯域無線アクセスシステム１１００は、３ＧＰＰ  ＬＴＥ仕様書、及び／又はＩＥＥＥ８０２．１６標準のうちの１つ若しくは複数に準拠しているシステムのようなあらゆる種類の直交周波数分割多元接続（orthogonal  frequency  division  multiple  access：ＯＦＤＭＡ）ベースの、又は単一キャリア周波数分割多元接続（single-carrier  frequency  division  multiple  access：ＳＣ−ＦＤＭＡ）ベースの無線ネットワークを含み得るとともに、権利請求された主題の範囲はこれらの点に限定されない。
【０１１０】
代表的な広帯域無線アクセスシステム１１００において、１つ若しくは複数の固定型装置１１１６とインターネット１１１０との間の、及び／又は１つ若しくは複数の移動機１１２２とインターネット１１１０との間の無線通信を提供するために、無線アクセスネットワーク（ＲＡＮ）１１１２及び１１１８は、それぞれ、進化型ノードＢ１１１４及び１１２０に結合することが可能である。固定型装置１１１６及び移動機１１２２の一つの実例は、装置１０００の固定されたバージョンを含む固定型装置１１１６と、装置１０００の移動式のバージョンを含む移動機１１２２とを含んでいる図１０の装置１０００である。ＲＮＣ１１１２及び１１１８は、広帯域無線アクセスシステム１１００上の１つ又は複数の物理的エンティティに対するネットワーク機能のマッピングを定義することが可能であるプロファイルを実行し得る。ｅＮＢ１１１４及び１１２０は、装置１０００を参照して説明されたような、固定型装置１１１６及び／又は移動機１１２２とのＲＦ通信を提供する無線装置を含み得るとともに、例えば、３ＧＰＰ  ＬＴＥ仕様書、又はＩＥＥＥ８０２．１６標準に従ったＰＨＹ及びＭＡＣ層装置を含み得る。権利請求された主題の範囲は下記の点に限定されないが、ｅＮＢ１１１４及び１１２０は、それぞれＲＡＮ１１１２及び１１１８を経てインターネット１１１０に結合するために、ＩＰバックプレーン（IP  backplane）を更に含み得る。
【０１１１】
広帯域無線アクセスシステム１１００は、訪問先コアネットワーク（ＣＮ）１１２４及び／又はホームＣＮ１１２６を更に含むことができ、そのそれぞれは、限定はしないが、プロキシ及び／若しくはリレータイプの機能、例えば、認証、認可及びアカウンティング（ＡＡＡ）機能、動的ホスト構成プロトコル（ＤＨＣＰ）機能、若しくはドメインネームサービス制御若しくは同様のものを含む１つ若しくは複数のネットワーク機能、公衆電話交換網（ＰＳＴＮ）ゲートウェイ若しくはボイスオーバインターネットプロトコル（ＶｏＩＰ）ゲートウェイのようなドメインゲートウェイ、並びに／又はインターネットプロトコル（ＩＰ）タイプサーバ機能、若しくは同様のものを提供することが可能であり得る。しかしながら、これらは、単に、訪問先ＣＮ１１２４及び／又はホームＣＮ１１２６により提供されることが可能である機能のタイプの実例であり、権利請求された主題の範囲はこれらの点に限定されない。訪問先ＣＮ１１２４は、訪問先ＣＮ１１２４が固定型装置１１１６又は移動機１１２２の正規のサービスプロバイダの一部ではない場合、例えば、固定型装置１１１６若しくは移動機１１２２が、そのそれぞれのホームＣＮ１１２６から離れてローミングしている場合か、又は、広帯域無線アクセスシステム１１００が固定型装置１１１６若しくは移動機１１２２の正規のサービスプロバイダの一部であるが、しかし広帯域無線アクセスシステム１１００が、固定型装置１１１６若しくは移動機１１２２の主要な又はホームロケーションではない別の場所又は状態にある場合に、訪問先ＣＮと言われ得る。実施例は、この文脈に限定されない。
【０１１２】
固定型装置１１１６は、それぞれ、ｅＮＢ１１１４及び１１２０、そしてＲＡＮ１１１２及び１１１８、並びにホームＣＮ１１２６を通してインターネット１１１０に対するホーム又は会社の顧客のブロードバンド接続を提供するために、ホーム若しくは会社内の、又はホーム若しくは会社の近くのような、ｅＮＢ１１１４及び１１２０のうちの１つ又は両方の範囲内のどこにでも位置付けられ得る。固定型装置１１１６は一般に固定された場所に配置されるが、固定型装置１１１６が必要に応じて異なる場所に動かされ得る、ということは注目に値する。移動機１１２２は、もし移動機１１２２が例えばｅＮＢ１１１４及び１１２０のうちの１つ又は両方の範囲内にあるならば、１つ又は複数の場所で利用され得る。１つ又は複数の実施例によれば、オペレーションサポートシステム（operation  support  system：ＯＳＳ）１１２８は、広帯域無線アクセスシステム１１００に対して管理機能を提供するとともに、広帯域無線アクセスシステム１１００の機能エンティティの間のインタフェースを提供するために、広帯域無線アクセスシステム１１００の一部であり得る。図１１の広帯域無線アクセスシステム１１００は、広帯域無線アクセスシステム１１００のいくつかの構成要素を示す無線ネットワークの単に１つの種類であり、権利請求された主題の範囲はこれらの点に限定されない。
【０１１３】
各種の実施例は、ハードウェアエレメント、ソフトウェアエレメント、又は両方の組み合わせを用いて実施され得る。ハードウェアエレメントの実例は、プロセッサ、マイクロプロセッサ、回路、回路素子（例えば、トランジスタ、抵抗器、キャパシタ、インダクタなど）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、論理ゲート、レジスタ、半導体素子、チップ、マイクロチップ、チップセットなどを含み得る。ソフトウェアの実例は、ソフトウェアコンポーネント、プログラム、アプリケーション、コンピュータプログラム、アプリケーションプログラム、システムプログラム、マシンプログラム、オペレーティングシステムソフトウエア、ミドルウェア、ファームウェア、ソフトウェアモジュール、ルーチン、サブルーチン、ファンクション（機能）、メソッド（方法）、プロシージャ（手順）、ソフトウェアインタフェース、アプリケーションプログラムインタフェース（ＡＰＩ）、命令セット、計算コード、コンピュータコード、コードセグメント、コンピュータコードセグメント、ワード（words）、値（values）、シンボル、又はそれらのあらゆる組み合わせを含み得る。実施例がハードウェアエレメント及び／又はソフトウェアエレメントを使用して実施されるかどうかを判定することは、所望の計算レート、電力レベル、耐熱性、処理サイクル量、入力データレート、出力データレート、メモリ資源、データバス速度、及び他の設計の制約又は性能の制約のようなあらゆる数の要因に従って変化し得る。
【０１１４】
少なくとも一実施例の１つ又は複数の態様は、プロセッサ内部の様々なロジックを表し、機械によって読まれたときに機械にここで説明された技術を実行するためのロジックを構築させる、機械読み取り可能媒体に格納される代表的な命令によって実行され得る。“ＩＰコア”として知られているそのような表現は、有形の機械読み取り可能媒体に格納され得るとともに、論理回路（logic）又はプロセッサを実際に作る製作機械（fabrication  machine）に読み込むために、様々な顧客又は製造施設に供給され得る。いくつかの実施例は、例えば、機械により実行されたならば、実施例に従って機械に方法及び／又は動作を遂行させ得る命令又は一組の命令を格納し得る機械読み取り可能媒体又は物品を使用して実施され得る。そのような機械は、例えば、あらゆる適切な処理プラットフォーム、計算プラットフォーム、計算装置、処理装置、計算システム、処理システム、コンピュータ、プロセッサ、又は同様のものを含み得るとともに、ハードウェア及び／若しくはソフトウェアのあらゆる適切な組み合わせを用いて実施され得る。機械読み取り可能媒体又は物品は、例えば、あらゆる適切な種類のメモリユニット、メモリ装置、メモリ物品、メモリ媒体、記憶装置、記憶物品、記憶媒体、及び／又は記憶ユニット、例えば、メモリ、取り外し可能若しくは取り外し不可能媒体、消去可能若しくは消去不能媒体、書き込み可能若しくは再書き込み可能媒体、デジタル若しくはアナログ媒体、ハードディスク、フロッピー（登録商標）ディスク、コンパクトディスクリードオンリメモリ（Compact  Disk  Read  Only  Memory：ＣＤ−ＲＯＭ）、コンパクトディスクレコーダブル（Compact  Disk  Recordable：ＣＤ−Ｒ）、コンパクトディスクリライタブル（Compact  Disk  Rewriteable：ＣＤ−ＲＷ）、光ディスク、磁気媒体、光磁気媒体、取り外し可能メモリカード若しくはディスク、様々な種類のデジタル多目的ディスク（Digital  Versatile  Disk：ＤＶＤ）、テープ、カセット、又は同様のものを含み得る。命令は、あらゆる適切な高水準プログラミング言語、低水準プログラミング言語、オブジェクト指向プログラミング言語、ビジュアル（visual）プログラミング言語、コンパイルされたプログラミング言語、及び／又は解釈されたプログラミング言語を使用して実装されるソースコード、コンパイルされたコード、解釈されたコード、実行可能コード、静的なコード、動的なコード、暗号化されたコードなどのようなあらゆる適切な種類のコードを含み得る。
【０１１５】
下記の実例は、更なる実施例と関係がある。
【０１１６】
実例１は、ネットワークからＶ２Ｘパラメータを含むブロードキャストメッセージをＵＥに送信することと、ＵＥにおいてブロードキャストメッセージを受信して処理することとを含む方法を含み得る。
【０１１７】
実例２は、実例１又は本明細書のいくつかの他の実例の方法を含むことができ、ブロードキャストメッセージは、Ｖ２Ｘパラメータ専用のシステム情報ブロードキャスト（ＳＩＢ）上で送信される。
【０１１８】
実例３は、実例１又は本明細書のいくつかの他の実例の方法を含むことができ、ブロードキャストメッセージは、既存のシステム情報ブロードキャスト（ＳＩＢ）メッセージ上で送信される。
【０１１９】
実例４は、実例１又は本明細書のいくつかの他の実例の方法を含むことができ、Ｖ２Ｘパラメータは、少なくともＶ２Ｘメッセージの送信の最大許容周波数の値を含む。
【０１２０】
実例５は、実例１又は本明細書のいくつかの他の実例の方法を含むことができ、Ｖ２Ｘパラメータは、少なくともＰＳＩＤ（Provider  Service  Identifier：プロバイダサービス識別子）を含む。
【０１２１】
実例６は、実例４又は本明細書のいくつかの他の実例の方法を含むことができ、ブロードキャストメッセージを受信して処理するＵＥは、送信Ｖ２Ｘメッセージの周波数を最大許容値に制限する。
【０１２２】
実例７は、ネットワークからＶ２Ｘパラメータを含むブロードキャストメッセージをＵＥに送信することを含み、任意に、Ｖ２Ｘパラメータが、Ｖ２Ｘメッセージの送信の最大許容周波数、及びＰＳＩＤ（プロバイダサービス識別子）のうちの１つ又は複数を含む方法を含み得る。
【０１２３】
実例８は、ネットワークからＭＡＣ  ＰＤＵのＭＡＣヘッダに１つ又は複数のＶ２Ｘパラメータを含んでいるＶ２Ｘメッセージを少なくとも１つのＵＥのセットに送信することと、ＵＥにおいてＭＡＣヘッダを受信して処理することとを含む方法を含み得る。
【０１２４】
実例９は、実例８又は本明細書のいくつかの他の実例の方法を含むことができ、Ｖ２Ｘパラメータは、少なくともＶ２Ｘメッセージの送信の最大許容周波数を含む。
【０１２５】
実例１０は、実例９又は本明細書のいくつかの他の実例の方法を含むことができ、ＭＡＣ  ＰＤＵを受信して処理するＵＥは、送信Ｖ２Ｘメッセージの周波数を最大許容値に制限する。
【０１２６】
実例１１は、実例８又は本明細書のいくつかの他の実例の方法を含むことができ、ＭＡＣ  ＰＤＵは、Ｖ２Ｘメッセージ専用に予約されたＰＤＵである。
【０１２７】
実例１２は、ＲＡＮノードからセル測定値をＭＢＭＳ機能エンティティに送信することと、ＭＢＭＳ機能エンティティにおいてセル測定値を受信して処理することと、送信されるべきＶ２Ｘパラメータを、ＭＢＭＳ機能エンティティから、Ｖ２Ｘサービスに加入している少なくとも１つのＵＥに送信することとを含む方法を含み得る。
【０１２８】
実例１３は、実例１２又は本明細書のいくつかの他の実例の方法を含むことができ、ＭＢＭＳ機能エンティティは、ブロードキャストマルチキャストサービスセンタ（ＢＭ−ＳＣ）又はＭＢＭＳ  ＧＷである。
【０１２９】
実例１４は、実例１２又は本明細書のいくつかの他の実例の方法を含むことができ、Ｖ２Ｘパラメータは、少なくとも、Ｖ２Ｘサービスに加入しているＵＥによって使用されることが許可された最大メッセージ伝送レートを含む。
【０１３０】
実例１５は、無線アクセスネットワーク（ＲＡＮ）ノードによって、１つ又は複数の車両対モノ（Ｖ２Ｘ）関連パラメータを含むメッセージを生成することと、ＲＡＮノードによって、メッセージをブロードキャストすることとを含む方法を含み得る。
【０１３１】
実例１６は、実例１５又は本明細書のいくつかの他の実例の方法を含むことができ、ＲＡＮノードによって、システム情報ブロードキャスト（ＳＩＢ）を介してメッセージをブロードキャストすることを更に含む。
【０１３２】
実例１７は、実例１６又は本明細書のいくつかの他の実例の方法を含むことができ、ＳＩＢは、Ｖ２Ｘパラメータのブロードキャスト専用である。
【０１３３】
実例１８は、実例１５又は本明細書のいくつかの他の実例の方法を含むことができ、Ｖ２Ｘパラメータは、少なくともＶ２Ｘメッセージの送信の最大許容周波数に関連する値を含む。
【０１３４】
実例１９は、実例１５又は本明細書のいくつかの他の実例の方法を含むことができ、Ｖ２Ｘパラメータは、少なくともプロバイダサービス識別子（ＰＳＩＤ）を含む。
【０１３５】
実例２０は、実例１５又は本明細書のいくつかの他の実例の方法を含むことができ、ＲＡＮノードは、進化型ＮｏｄｅＢ（ｅＮＢ）である。
【０１３６】
実例２１は、１つ又は複数の車両対モノ（Ｖ２Ｘ）関連パラメータを含むメッセージを生成する制御論理回路と、制御論理回路と結合された送信論理回路であって、メッセージをブロードキャストする送信論理回路とを備える無線アクセスネットワーク（ＲＡＮ）ノードを含み得る。
【０１３７】
実例２２は、実例２１又は本明細書のいくつかの他の実例のＲＡＮノードを含むことができ、送信論理回路は、さらに、システム情報ブロードキャスト（ＳＩＢ）を介してメッセージをブロードキャストすることができる。
【０１３８】
実例２３は、実例２２又は本明細書のいくつかの他の実例のＲＡＮノードを含むことができ、ＳＩＢは、Ｖ２Ｘパラメータのブロードキャスト専用である。
【０１３９】
実例２４は、実例２１又は本明細書のいくつかの他の実例のＲＡＮノードを含むことができ、Ｖ２Ｘパラメータは、少なくともＶ２Ｘメッセージの送信の最大許容周波数に関連する値を含む。
【０１４０】
実例２５は、実例２１又は本明細書のいくつかの他の実例のＲＡＮノードを含むことができ、Ｖ２Ｘパラメータは、少なくともプロバイダサービス識別子（ＰＳＩＤ）を含む。
【０１４１】
実例２６は、実例２１又は本明細書のいくつかの他の実例のＲＡＮノードを含むことができ、ＲＡＮノードは、進化型ＮｏｄｅＢ（ｅＮＢ）である。
【０１４２】
実例２７は、ユーザ装置によって１つ又は複数の車両対モノ（Ｖ２Ｘ）関連パラメータを含むブロードキャストメッセージを受信することと、ＵＥによって、受信された１つ又は複数のＶ２Ｘパラメータに基づいてＶ２Ｘ手順を実行することとを含む方法を含み得る。
【０１４３】
実例２８は、実例２７又は本明細書のいくつかの他の実例の方法を含むことができ、ＵＥによって、システム情報ブロードキャスト（ＳＩＢ）を介してメッセージを受信することを更に含む。
【０１４４】
実例２９は、実例２８又は本明細書のいくつかの他の実例の方法を含むことができ、ＳＩＢは、Ｖ２Ｘパラメータのブロードキャスト専用である。
【０１４５】
実例３０は、実例２７又は本明細書のいくつかの他の実例の方法を含むことができ、Ｖ２Ｘパラメータは、少なくともＶ２Ｘメッセージの送信の最大許容周波数に関連する値を含む。
【０１４６】
実例３１は、実例２７又は本明細書のいくつかの他の実例の方法を含むことができ、Ｖ２Ｘパラメータは、少なくともプロバイダサービス識別子（ＰＳＩＤ）を含む。
【０１４７】
実例３２は、実例２７又は本明細書のいくつかの他の実例の方法を含むことができ、Ｖ２Ｘ手順を実行することは、ＵＥによって、受信された１つ又は複数のＶ２Ｘパラメータに基づいてＶ２Ｘメッセージの送信の周波数を最大許容値に制限することを含む。
【０１４８】
実例３３は、１つ又は複数の車両対モノ（Ｖ２Ｘ）関連パラメータを含むブロードキャストメッセージを受信する受信論理回路と、受信論理回路に結合された制御論理回路であって、受信された１つ又は複数のＶ２Ｘパラメータに基づいてＶ２Ｘ手順を実行する制御論理回路とを備えるユーザ装置（ＵＥ）を含み得る。
【０１４９】
実例３４は、実例３３又は本明細書のいくつかの他の実例のＵＥを含むことができ、受信論理回路は、システム情報ブロードキャスト（ＳＩＢ）を介してメッセージを受信することができる。
【０１５０】
実例３５は、実例３４又は本明細書のいくつかの他の実例のＵＥを含むことができ、ＳＩＢは、Ｖ２Ｘパラメータのブロードキャスト専用である。
【０１５１】
実例３６は、実例３３又は本明細書のいくつかの他の実例のＵＥを含むことができ、Ｖ２Ｘパラメータは、少なくともＶ２Ｘメッセージの送信の最大許容周波数に関連する値を含む。
【０１５２】
実例３７は、実例３３又は本明細書のいくつかの他の実例のＵＥを含むことができ、Ｖ２Ｘパラメータは、少なくともプロバイダサービス識別子（ＰＳＩＤ）を含む。
【０１５３】
実例３８は、実例３３又は本明細書のいくつかの他の実例のＵＥを含むことができ、制御論理回路は、さらに、受信された１つ又は複数のＶ２Ｘパラメータに基づいてＶ２Ｘメッセージの送信の周波数を最大許容値に制限することができる。
【０１５４】
実例３９は、無線アクセスネットワーク（ＲＡＮ）ノードによって、１つ又は複数の車両対モノ（Ｖ２Ｘ）関連パラメータを含むメディアアクセス制御（ＭＡＣ）ヘッダを有するＭＡＣパケットデータユニット（ＰＤＵ）を生成することと、ＲＡＮノードによって、ＭＡＣ  ＰＤＵを含むメッセージを送信することとを含む方法を含み得る。
【０１５５】
実例４０は、実例３９又は本明細書のいくつかの他の実例の方法を含むことができ、１つ又は複数のＶ２Ｘパラメータは、Ｖ２Ｘメッセージの送信の最大許容周波数の指示を含む。
【０１５６】
実例４１は、実例３９又は本明細書のいくつかの他の実例の方法を含むことができ、ＭＡＣ  ＰＤＵは、Ｖ２Ｘメッセージ専用に予約されたＰＤＵである。
【０１５７】
実例４２は、実例３９又は本明細書のいくつかの他の実例の方法を含むことができ、ＲＡＮノードは、進化型ＮｏｄｅＢ（ｅＮＢ）である。
【０１５８】
実例４３は、１つ又は複数の車両対モノ（Ｖ２Ｘ）関連パラメータを含むメディアアクセス制御（ＭＡＣ）ヘッダを有するＭＡＣパケットデータユニット（ＰＤＵ）を生成する制御論理回路と、制御論理回路に結合された送信論理回路であって、ＭＡＣ  ＰＤＵを含むメッセージを送信する送信論理回路とを備える無線アクセスネットワーク（ＲＡＮ）ノードを含み得る。
【０１５９】
実例４４は、実例４３又は本明細書のいくつかの他の実例のＲＡＮノードを含むことができ、１つ又は複数のＶ２Ｘパラメータは、Ｖ２Ｘメッセージの送信の最大許容周波数の指示を含む。
【０１６０】
実例４５は、実例４３又は本明細書のいくつかの他の実例のＲＡＮノードを含むことができ、ＭＡＣ  ＰＤＵは、Ｖ２Ｘメッセージ専用に予約されたＰＤＵである。
【０１６１】
実例４６は、実例４３又は本明細書のいくつかの他の実例のＲＡＮノードを含むことができ、ＲＡＮノードは、進化型ＮｏｄｅＢ（ｅＮＢ）である。
【０１６２】
実例４７は、ユーザ装置（ＵＥ）によって、１つ又は複数の車両対モノ（Ｖ２Ｘ）関連パラメータを含むメディアアクセス制御（ＭＡＣ）ヘッダを有するＭＡＣパケットデータユニット（ＰＤＵ）を含むメッセージを受信することと、ＵＥによって、１つ又は複数のＶ２Ｘパラメータに基づいてＶ２Ｘ関連手順を実行することとを含む方法を含み得る。
【０１６３】
実例４８は、実例４７又は本明細書のいくつかの他の実例の方法を含むことができ、１つ又は複数のＶ２Ｘパラメータは、Ｖ２Ｘメッセージの送信の最大許容周波数の指示を含む。
【０１６４】
実例４９は、実例４７又は本明細書のいくつかの他の実例の方法を含むことができ、ＭＡＣ  ＰＤＵは、Ｖ２Ｘメッセージ専用に予約されたＰＤＵである。
【０１６５】
実例５０は、実例４７又は本明細書のいくつかの他の実例の方法を含むことができ、Ｖ２Ｘ関連手順を実行することは、ＵＥによって、１つ又は複数のＶ２Ｘパラメータに基づいて送信Ｖ２Ｘメッセージの周波数を最大許容値に制限することを含む。
【０１６６】
実例５１は、１つ又は複数の車両対モノ（Ｖ２Ｘ）関連パラメータを含むメディアアクセス制御（ＭＡＣ）ヘッダを有するＭＡＣパケットデータユニット（ＰＤＵ）を含むメッセージを受信する受信論理回路と、受信論理回路に結合された制御論理回路であって、１つ又は複数のＶ２Ｘパラメータに基づいてＶ２Ｘ関連手順を実行する制御論理回路とを備えるユーザ装置（ＵＥ）を含み得る。
【０１６７】
実例５２は、実例５１又は本明細書のいくつかの他の実例のＵＥを含むことができ、１つ又は複数のＶ２Ｘパラメータは、Ｖ２Ｘメッセージの送信の最大許容周波数の指示を含む。
【０１６８】
実例５３は、実例５１又は本明細書のいくつかの他の実例のＵＥを含むことができ、ＭＡＣ  ＰＤＵは、Ｖ２Ｘメッセージ専用に予約されたＰＤＵである。
【０１６９】
実例５４は、実例５１又は本明細書のいくつかの他の実例のＵＥを含むことができ、制御論理回路は、さらに、１つ又は複数のＶ２Ｘパラメータに基づいて送信Ｖ２Ｘメッセージの周波数を最大許容値に制限することができる。
【０１７０】
実例５５は、無線アクセスネットワーク（ＲＡＮ）ノードによって、１つ又は複数のセル測定値をマルチメディアブロードキャストマルチキャストサービス（ＭＢＭＳ）機能エンティティに送信することと、ＲＡＮノードによって、Ｖ２Ｘサービスに関する１つ又は複数の車両対モノ（Ｖ２Ｘ）関連パラメータの指示を受信することであって、１つ又は複数のＶ２Ｘパラメータがセル測定値に基づいている、受信することと、ＲＡＮノードによって、１つ又は複数のＶ２Ｘパラメータの指示をＶ２Ｘサービスに加入しているユーザ装置（ＵＥ）に送信することとを含む方法を含み得る。
【０１７１】
実例５６は、実例５５又は本明細書のいくつかの他の実例の方法を含むことができ、ＭＢＭＳ機能エンティティは、ブロードキャストマルチキャストサービスセンタ（ＢＭ−ＳＣ）又はＭＢＭＳゲートウェイ（ＧＷ）である。
【０１７２】
実例５７は、実例５５又は本明細書のいくつかの他の実例の方法を含むことができ、１つ又は複数のＶ２Ｘパラメータは、少なくとも、Ｖ２Ｘサービスに加入しているＵＥによって使用されることが許可された最大メッセージ伝送レートを含む。
【０１７３】
実例５８は、実例５５又は本明細書のいくつかの他の実例の方法を含むことができ、ＲＡＮノードは、進化型ＮｏｄｅＢ（ｅＮＢ）である。
【０１７４】
実例５９は、マルチメディアブロードキャストマルチキャストサービス（ＭＢＭＳ）機能エンティティからＶ２Ｘサービスに関する１つ又は複数の車両対モノ（Ｖ２Ｘ）関連パラメータの指示を受信する受信論理回路であって、１つ又は複数のＶ２ＸパラメータがＲＡＮノードによるセル測定値に基づいている、受信論理回路と、受信論理回路に結合された送信論理回路であって、１つ又は複数のＶ２Ｘパラメータの指示をＶ２Ｘサービスに加入しているユーザ装置（ＵＥ）に送信する送信論理回路とを備える無線アクセスネットワーク（ＲＡＮ）ノードを含み得る。
【０１７５】
実例６０は、実例５９又は本明細書のいくつかの他の実例のＲＡＮノードを含むことができ、ＭＢＭＳ機能エンティティは、ブロードキャストマルチキャストサービスセンタ（ＢＭ−ＳＣ）又はＭＢＭＳゲートウェイ（ＧＷ）である。
【０１７６】
実例６１は、実例５９又は本明細書のいくつかの他の実例のＲＡＮノードを含むことができ、１つ又は複数のＶ２Ｘパラメータは、少なくとも、Ｖ２Ｘサービスに加入しているＵＥによって使用されることが許可された最大メッセージ伝送レートを含む。
【０１７７】
実例６２は、実例５９又は本明細書のいくつかの他の実例のＲＡＮノードを含むことができ、ＲＡＮノードは、進化型ＮｏｄｅＢ（ｅＮＢ）である。
【０１７８】
実例６３は、マルチメディアブロードキャストマルチキャストサービス（ＭＢＭＳ）機能エンティティによって、１つ又は複数のセル測定値の指示を受信することと、ＭＢＭＳ機能エンティティによって、１つ又は複数のセル測定値に基づいてＶ２Ｘサービスに関する１つ又は複数の車両対モノ（Ｖ２Ｘ）関連パラメータを識別することと、ＭＢＭＳ機能エンティティによって、１つ又は複数のＶ２Ｘパラメータの指示を送信することとを含む方法を含み得る。
【０１７９】
実例６４は、実例６３又は本明細書のいくつかの他の実例の方法を含むことができ、ＭＢＭＳ機能エンティティは、ブロードキャストマルチキャストサービスセンタ（ＢＭ−ＳＣ）又はＭＢＭＳゲートウェイ（ＧＷ）である。
【０１８０】
実例６５は、実例６３又は本明細書のいくつかの他の実例の方法を含むことができ、１つ又は複数のＶ２Ｘパラメータは、少なくとも、Ｖ２Ｘサービスに加入しているＵＥによって使用されることが許可された最大メッセージ伝送レートを含む。
【０１８１】
実例６６は、１つ又は複数のセル測定値の指示を受信する受信論理回路と、受信論理回路に結合された制御論理回路であって、１つ又は複数のセル測定値に基づいてＶ２Ｘサービスに関する１つ又は複数の車両対モノ（Ｖ２Ｘ）関連パラメータを識別する制御論理回路と、受信論理回路に結合された送信論理回路であって、１つ又は複数のＶ２Ｘパラメータの指示を送信する送信論理回路とを備えるマルチメディアブロードキャストマルチキャストサービス（ＭＢＭＳ）機能エンティティを含み得る。
【０１８２】
実例６７は、実例６３又は本明細書のいくつかの他の実例のＭＢＭＳ機能エンティティを含むことができ、ＭＢＭＳ機能エンティティは、ブロードキャストマルチキャストサービスセンタ（ＢＭ−ＳＣ）又はＭＢＭＳゲートウェイ（ＧＷ）である。
【０１８３】
実例６８は、実例６３又は本明細書のいくつかの他の実例のＭＢＭＳ機能エンティティを含むことができ、１つ又は複数のＶ２Ｘパラメータは、少なくとも、Ｖ２Ｘサービスに加入しているＵＥによって使用されることが許可された最大メッセージ伝送レートを含む。
【０１８４】
多数の特定の詳細が実施例の完全な理解を提供するためにここで説明された。しかしながら、実施例はこれらの特定の詳細なしで実施され得るということが当業者によって理解されるであろう。他の場合において、周知の動作、構成要素、及び回路は、実施例を不明瞭にしないために詳細に説明されなかった。ここで開示された特定の構造的及び機能的な詳細が代表的であり、実施例の範囲を必ずしも限定するとは限らないということが認識されることができる。
【０１８５】
いくつかの実施例は、“結合される”及び“接続される”という表現を使用して説明され得る。これらの用語は、相互に対する同義語を意図していない。例えば、いくつかの実施例は、２つ以上の要素が互いに直接的な物理的又は電気的接触状態にあるということを示すために、“接続される”及び／又は“結合される”という用語を使用して説明され得る。しかしながら、“結合される”という用語は、同様に、２つ以上の要素が互いに直接的な接触状態にないが、それでもやはり互いに協同するか、又は相互作用するということを意味し得る。
【０１８６】
明確に別の方法で表明されない限り、“処理する”、“計算する”、“算出する”、“判定する”などのような用語は、計算システムのレジスタ及び／又はメモリ内の（例えば、電子的な）物理量として表されたデータを計算システムのメモリ、レジスタ、又は他のそのような情報の記憶装置、伝送装置、若しくは表示装置内の物理量として同様に表された他のデータに処理する及び／又は変換するコンピュータ若しくは計算システム、又は同様の電子計算装置の動作及び／又は工程のことを指すということが認識され得る。実施例は、この文脈に限定されない。
【０１８７】
ここで説明された方法が、説明された順序で、又はあらゆる特定の順序で実行される必要がないことに、留意すべきである。さらに、ここで特定された方法に関して説明された様々な作業（activity：アクティビティ）は、連続する方法で、又は並行する方法で実行され得る。
【０１８８】
特定の実施例がここで例示されて説明されたが、同じ目的を達成すると見込まれるあらゆる取り合わせ（arrangement：アレンジメント）が示された特定の実施例の代用にされ得るということが認識されるべきである。この開示は、各種の実施例の全ての改作物又は変形物をカバーすることを意図している。上述の説明が、実例となる方法で行われ、限定的なものではないということが理解されるべきである。上述の実施例とここで明確に説明されなかった他の実施例との組み合わせは、上述の説明を精査することにより当業者には明白であろう。したがって、各種の実施例の範囲は、上述の構成、構造、及び方法が使用されるあらゆる他のアプリケーションを含む。
【０１８９】
読者が技術的開示の性質を迅速に確かめることを可能にするであろう要約を要求する連邦規則法典第３７巻セクション１．７２（ｂ）（37C.F.R.§1.72(b)）に適合するように、本開示の要約が提供されるということが強調される。要約は、要約が請求項の範囲又は意味を解釈するか、又は限定するために使用されないであろう、という了解のもとに提出される。さらに、前述の詳細な説明において、本開示を合理化する目的で様々な特徴が１つの実施例に集められるということが理解され得る。本開示のこの方法は、主張された実施例が、各請求項において明確に暗唱される特徴より更なる特徴を必要とする意図を反映する、と解釈されるべきではない。それどころか、添付の請求項が反映するように、発明の主題は、単一の開示された実施例の全ての特徴より少ない状態にある。したがって、添付の請求項は、この結果、各請求項が個別の好ましい実施例として独立している状態で詳細な説明の中に組み込まれる。添付の請求項において、“含む（including）”及び“その中で（in  which）”という用語は、それぞれ“備える（comprising）”及び“ここで（wherein）”という用語の分かりやすい英語の等価物として使用される。さらに、“第１の”、“第２の”、及び“第３の”などの用語は、単にラベルとして使用され、数値的な要求をそれらの対象物に課すことを意図していない。
【０１９０】
主題は、構造上の特徴及び／又は方法論的な活動に特有の言語で説明されているが、添付の請求項において定義された主題は、上記で説明された特定の特徴又は活動に必ずしも限定されるとは限らない、ということが理解されるべきである。それどころか、上記で説明された特定の特徴又は活動は、請求項を実施することの実例形態として開示される。
【図１Ａ】
0006805177.tif 000008
【図１Ｂ】
0006805177.tif 000009
【図２】
0006805177.tif 000010
【図３】
0006805177.tif 000011
【図４】
0006805177.tif 000012
【図５】
0006805177.tif 000013
【図６】
0006805177.tif 000014
【図７Ａ】
0006805177.tif 000015
【図７Ｂ】
0006805177.tif 000016
【図８】
0006805177.tif 000017
【図９】
0006805177.tif 000018
【図１０】
0006805177.tif 000019
【図１１】
0006805177.tif 000020